(57)【要約】【課題】  簡易な構造で免震対象の構造体を基礎に対して支持するための構造体支持構造を提供しようとする。【解決手段】  従来の構造体支持構造に変わって、構造体に固定される上部案内部材と、上部案内部材の下方に位置し基礎に支持される中間案内部材と、を備え、水平面内で一対の仮想の軸であるＸ軸とＹ軸とが直交し、前記上部案内部材に形成された下向きの面である前記Ｘ軸摺動面と前記中間案内部材に形成された上向きの面である前記Ｘ軸摺動面とが摺動してＸ軸に沿って相対移動でき、前記Ｘ軸摺動面はＹ軸に沿って並列して位置する左右一対のＸ軸一方向摺動面を含み、左右一対の前記Ｘ軸一方向摺動面はＹ軸に沿って互いの反対方向に各々に傾斜する、ものとした。【選択図】    図１
2018197596.tif 000002
【特許請求の範囲】
【請求項１】
構造体を基礎に対して支持するための構造体支持構造であって、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの摺動面であるＸ軸摺動面と前記中間案内部材に形成された上向きの摺動面であるＸ軸摺動面とが摺動してＸ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、
左右一対の前記Ｘ軸一方向摺動面はＸ軸に沿って共に一方の方向に移るに従って上向きに各々に傾斜し、
左右一対の前記Ｘ軸逆方向摺動面はＸ軸に沿って共に逆の方向に移るに従って上向きに各々に傾斜し、
前記上部案内部材が左右一対の下向きの前記Ｘ軸一方向摺動面を各々に形成する左右一対の摺動部材である左右一対の上部Ｘ軸一方向摺動部材と左右一対の下向きの前記Ｘ軸面逆方向摺動面を各々に形成する左右一対の摺動部材である左右一対の上部Ｘ軸逆方向摺動部材とを有し、
前記中間案内部材が左右一対の上向きの前記Ｘ軸一方向摺動面を各々に形成する左右一対の摺動部材である左右一対の中間Ｘ軸一方向摺動部材と左右一対の上向きのＸ軸逆方向摺動面を各々に形成する左右一対の摺動部材である左右一対の中間Ｘ軸逆方向摺動部材とを有し、
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の該摺動部材の左右の少なくともどちらか一方の前記摺動部材と他方の左右一対の該摺動部材の左右の少なくともどちらか一方の前記摺動部材とのＹ軸方向に沿った少なくとも一方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくとも一方の方向の相対移動を拘束できる、
ことを特徴とする構造体支持構造。
【請求項２】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる、
ことを特徴とする請求項１に記載の構造体支持構造。
【請求項３】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材に前記Ｘ軸摺動面に沿って形成される係合部が他方の左右一対の前記摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って形成される係合部が他方の左右一対の摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束できる、
ことを特徴とする請求項１に記載の構造体支持構造。
【請求項４】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる、
ことを特徴とする請求項１に記載の構造体支持構造。
【請求項５】
左右一対の前記上部Ｘ軸一方向摺動部材がＹ軸に沿って間に隙間を設けられ、
左右一対の前記上部Ｘ軸逆方向摺動部材がＹ軸に沿って間に隙間を設けられ、
左右一対の前記中間Ｘ軸一方向摺動部材がＹ軸に沿って間に隙間を設けられ、
左右一対の前記中間Ｘ軸逆方向摺動部材がＹ軸に沿って間に隙間を設けられる、
ことを特徴とする請求項１乃至請求項４のうちのひとつに記載の構造体支持構造。
【請求項６】
構造体を基礎に対して支持するための構造体支持構造であって、
構造体に固定される上部案内部材と、
前記上部案内部材の下方に位置し基礎に支持される下部案内部材と、
前記上部案内部材と前記下部案内部材との間に位置する中間案内部材と、
を備え、
水平面内で一対の仮想の軸であるＸ軸とＹ軸とが直交し、
前記上部案内部材に形成された下向きの面であるＸ軸摺動面と前記中間案内部材に形成された上向きの面であるＸ軸摺動面とが摺動してＸ軸に沿って相対移動でき、
前記中間案内部材に形成された下向きの面であるＹ軸摺動面と前記下部案内部材に形成された上向きの面であるＹ軸摺動面とが摺動してＹ軸に沿って相対移動でき、
前記Ｘ軸摺動面はＹ軸に沿って並列して位置する左右一対のＸ軸一方向摺動面とＹ軸に沿って並列して位置する左右一対のＸ軸逆方向摺動面とを含み、
左右一対の前記Ｘ軸一方向摺動面はＸ軸に沿って共に一方の方向に移るに従って上向きに各々に傾斜し、
左右一対の前記Ｘ軸逆方向摺動面はＸ軸に沿って共に逆の方向に移るに従って上向きに各々に傾斜し、
前記Ｙ軸摺動面はＸ軸に沿って並列して位置する左右一対のＹ軸一方向摺動面とＸ軸に沿って並列して位置する左右一対のＹ軸逆方向摺動面とを含み、
左右一対の前記Ｙ軸一方向摺動面はＹ軸に沿って共に一方の方向に移るに従って上向きに各々に傾斜し、
左右一対の前記Ｙ軸逆方向摺動面はＹ軸に沿って共に逆の方向に移るに従って上向きに各々に傾斜し、
前記上部案内部材が左右一対の下向きの前記Ｘ軸一方向摺動面を各々に形成する左右一対の摺動部材である左右一対の上部Ｘ軸一方向摺動部材と左右一対の下向きの前記Ｘ軸面逆方向摺動面を各々に形成する左右一対の摺動部材である左右一対の上部Ｘ軸逆方向摺動部材とを有し、
前記中間案内部材が、左右一対の上向きの前記Ｘ軸一方向摺動面を各々に形成する左右一対の摺動部材である左右一対の中間Ｘ軸一方向摺動部材と左右一対の上向きのＸ軸逆方向摺動面を各々に形成する左右一対の摺動部材である左右一対の中間Ｘ軸逆方向摺動部材と、左右一対の下向きの前記Ｙ軸一方向摺動面を各々に形成する左右一対の摺動部材である左右一対の中間Ｙ軸一方向摺動部材と左右一対の下向きの前記Ｙ軸面逆方向摺動面を各々に形成する左右一対の摺動部材である左右一対の中間Ｙ軸逆方向摺動部材とを有し、
前記下部案内部材が左右一対の上向きの前記Ｙ軸一方向摺動面を形成する左右一対の摺動部材である左右一対の下部Ｙ軸一方向摺動部材と左右一対の上向きのＹ軸逆方向摺動面を各々に形成する左右一対の摺動部材である左右一対の下部Ｙ軸逆方向摺動部材とを有し、
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束でき、
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束できる、
ことを特徴とする構造体支持構造。
【請求項７】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の摺動部材の左右の少なくともどちらか一方の前記摺動部材とのＹ軸方向に沿った両方の方向の相対移動を拘束できる、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束でき、
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束できる
ことを特徴とする請求項６に記載の構造体支持構造。
【請求項８】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材に前記Ｘ軸摺動面に沿って形成される係合部が他方の左右一対の前記摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って形成される係合部が他方の左右一対の摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束でき、
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材に前記Ｙ軸摺動面に沿って形成される係合部が他方の左右一対の前記摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束できる、
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材に前記Ｙ軸摺動面に沿って形成される係合部が他方の左右一対の摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束できる
ことを特徴とする請求項６に記載の構造体支持構造。
【請求項９】
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材に前記Ｘ軸摺動面に沿って形成される係合部が
他方の左右一対の前記摺動部材の左右のうちの一方の前記摺動部材に前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被告係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被告係合部に係合して一方の左右一対の前記摺動部材の左右のうちの他方の前記摺動部材と他方の左右一対の摺動部材の左右のうちの他方の前記摺動部材とのＹ軸方向に沿った方向のうちの他方の方向の相対移動を拘束でき、
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他の左右一対の前記摺動部材の左右のうちの一方の前記摺動部材とのＸ軸方向に沿った方向のうちの一方の方向の相対移動を拘束でき、
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束でき、
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＸ軸方向に沿った方向のうちの一方の方向の相対移動を拘束でき、
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束できる、
ことを特徴とする請求項６に記載の滑り免震装置。
【請求項１０】
左右一対の前記上部Ｘ軸一方向摺動部材がＹ軸に沿って間に隙間を設けられ、
左右一対の前記上部Ｘ軸逆方向摺動部材がＹ軸に沿って間に隙間を設けられ、
左右一対の前記中間Ｘ軸一方向摺動部材がＹ軸に沿って間に隙間を設けられ、
左右一対の前記中間Ｘ軸逆方向摺動部材がＹ軸に沿って間に隙間を設けられ、
左右一対の前記中間Ｙ軸一方向摺動部材がＸ軸に沿って間に隙間を設けられ、
左右一対の前記中間Ｙ軸逆方向摺動部材がＸ軸に沿って間に隙間を設けられ、
左右一対の前記下部Ｙ軸一方向摺動部材がＸ軸に沿って間に隙間を設けられ、
左右一対の前記下部Ｙ軸逆方向摺動部材がＸ軸に沿って間に隙間を設けられる、
ことを特徴とする請求項６に記載の構造体支持構造。
【請求項１１】
前記係合部が摺動方向に交差する向きに互いに傾斜する左右一対の摺動面の交差する箇所に形成され摺動面に沿って摺動方向に延びる峰状の部分であり、
前記被係合部が摺動方向に交差する向きに互いに傾斜する左右一対の摺動面の交差する箇所に形成され摺動面に沿って摺動方向に延びる谷状の部分であり、
前記係合部の峰状の部分と前記被係合部の谷状の部分が当接して前記係合部が前記被係合部に係合する、
ことを特徴とする請求項１または請求項６のうちのひとつに記載の構造体支持構造。
【請求項１２】
前記係合部が摺動方向に交差する水平方向の一方の方向に面を向け摺動面に沿って摺動方向に延びる壁状の部分であり、
前記被係合部が摺動方向に交差する水平方向の他方の方向に面を向け摺動面に沿って摺動方向に延びる壁状の部分であり、
前記係合部の壁状の部分と前記被係合部の壁状の部分とが当接して前記係合部が前記被係合部に係合する、
ことを特徴とする請求項１または請求項６のうちのひとつに記載の構造体支持構造。
【請求項１３】
前記係合部が摺動方向に交差する水平方向に沿って一対の面を外側へ向け摺動面に沿って摺動方向に延びる一対の壁状の部分であり、
前記被係合部が摺動方向に交差する水平方向に沿って一対の面を内側に向け摺動面に沿って摺動方向に延びる一対の壁状の部分であり、
前記係合部の一対の前記壁状の部分と前記被係合部の一対の前記壁状の部分とが当接して前記係合部が前記被係合部に係合する、
ことを特徴とする請求項１または請求項６のうちのひとつに記載の構造体支持構造。
【請求項１４】
前記係合部が摺動方向に交差する方向に沿って上下方向に湾曲する摺動面に沿って摺動方向に延びる凸状の部分であり、
前記被係合部が摺動方向に交差する方向に沿って上下方向に湾曲する摺動面に沿って摺動方向に延びる凹状の部分であり、
前記係合部の前記凸状の部分と前記被係合部の前記凹状の部分とが当接して前記係合部が前記被係合部に係合する、
ことを特徴とする請求項１または請求項６のうちのひとつに記載の構造体支持構造。
【発明の詳細な説明】
【技術分野】
【０００１】
本発明は構造体を基礎に対して支持するための構造体支持構造に係る。
【背景技術】
【０００２】
構造体を支持するのに構造体支持構造を用いる。
例えば、貴重品を収納する構造体を支持する構造体支持構造を用いる。
例えば，サーバコンピュータの構造体である架構を支持する構造体支持構造を用いる。
例えば、半導体製造装置の構造体である架構を支持する構造体支持構造を用いる。
例えば、美術館で、美術品を載せる構造体である台を支持する構造体支持構造を用いる。
【０００３】
構造体支持構造は免震機能を発揮できてもよい。
例えば、構造体支持構造は免震機構を内蔵する。
構造体支持構造は、その姿勢を非作動状態と作動状態との間で遷移する。
非作動状態では、免震機構は構造体を静止させる。
作動状態では、据付面の加速度振動に対応して構造体の変位、加速度を所定の範囲に抑えようとする。その結果、構造体が据付面に対して変位する。
【０００４】
簡易な構造で免震対象の構造体を基礎に対して支持するための構造体支持構造が求められている。
【発明の概要】
【発明が解決しようとする課題】
【０００５】
本発明は、上記の現象に鑑み、簡易な構造で免震対象の構造体を基礎に対して支持するための構造体支持構造を提供しようとする。
【課題を解決するための手段】
【０００６】
上記目的を達成するため、本発明に係る構造体を基礎に対して支持するための構造体支持構造を、
構造体に固定される上部案内部材と、
上部案内部材の下方に位置し基礎に支持される中間案内部材と、
を備え、
水平面内で一対の仮想の軸であるＸ軸とＹ軸とが直交し、
前記上部案内部材に形成された下向きの面であるＸ軸摺動面と前記中間案内部材に形成された上向きの面であるＸ軸摺動面とが摺動してＸ軸に沿って相対移動でき、前記Ｘ軸摺動面はＹ軸に沿って並列して位置する左右一対のＸ軸一方向摺動面とＹ軸に沿って並列して位置する左右一対のＸ軸逆方向摺動面とを含み、左右一対の前記Ｘ軸一方向摺動面はＸ軸に沿って共に一方の方向に移るに従って上向きに各々に傾斜し、左右一対の前記Ｘ軸逆方向摺動面はＸ軸に沿って共に逆の方向に移るに従って上向きに各々に傾斜し、前記上部案内部材が左右一対の下向きの前記Ｘ軸一方向摺動面を各々に形成する左右一対の摺動部材である左右一対の上部Ｘ軸一方向摺動部材と左右一対の下向きの前記Ｘ軸面逆方向摺動面を各々に形成する左右一対の摺動部材である左右一対の上部Ｘ軸逆方向摺動部材とを有し、前記中間案内部材が左右一対の上向きの前記Ｘ軸一方向摺動面を各々に形成する左右一対の摺動部材である左右一対の中間Ｘ軸一方向摺動部材と左右一対の上向きのＸ軸逆方向摺動面を各々に形成する左右一対の摺動部材である左右一対の中間Ｘ軸逆方向摺動部材とを有し、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の該摺動部材の左右の少なくともどちらか一方の前記摺動部材と他方の左右一対の該摺動部材の左右の少なくともどちらか一方の前記摺動部材とのＹ軸方向に沿った少なくとも一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくとも一方の方向の相対移動を拘束できる。
【０００７】
上記本発明の構成により、上部案内部材は、構造体に固定される。中間案内部材は、上部案内部材の下方に位置し基礎に支持される。水平面内で一対の仮想の軸であるＸ軸とＹ軸とが直交する。前記上部案内部材に形成された下向きの面であるＸ軸摺動面と前記中間案内部材に形成された上向きの面であるＸ軸摺動面とが摺動してＸ軸に沿って相対移動できる。前記Ｘ軸摺動面はＹ軸に沿って並列して位置する左右一対のＸ軸一方向摺動面とＹ軸に沿って並列して位置する左右一対のＸ軸逆方向摺動面とを含む。左右一対の前記Ｘ軸一方向摺動面はＸ軸に沿って共に一方の方向に移るに従って上向きに各々に傾斜する。左右一対の前記Ｘ軸逆方向摺動面はＸ軸に沿って共に逆の方向に移るに従って上向きに各々に傾斜する。前記上部案内部材の左右一対の上部Ｘ軸一方向摺動部材は、左右一対の下向きの前記Ｘ軸一方向摺動面を各々に形成する左右一対の摺動部材である。前記上部案内部材の左右一対の上部Ｘ軸逆方向摺動部材は、左右一対の下向きの前記Ｘ軸面逆方向摺動面を各々に形成する左右一対の摺動部材である。前記中間案内部材の左右一対の中間Ｘ軸一方向摺動部材じは、左右一対の上向きの前記Ｘ軸一方向摺動面を各々に形成する左右一対の摺動部材である。前記中間案内部材の左右一対の中間Ｘ軸逆方向摺動部材は、左右一対の上向きのＸ軸逆方向摺動面を各々に形成する左右一対の摺動部材である。上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の該摺動部材の左右の少なくともどちらか一方の前記摺動部材と他方の左右一対の該摺動部材の左右の少なくともどちらか一方の前記摺動部材とのＹ軸方向に沿った少なくとも一方の方向の相対移動を拘束できる。上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材が前記Ｘ軸摺動面沿って被係合部を形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくとも一方の方向の相対移動を拘束できる。
その結果、構造体が、Ｙ軸に沿った一方の向きの移動を抑制されつつＸ軸に沿って摺動する上部案内部材と中間案内部材を介して支持されて、Ｘ軸に沿って安定して移動できる。
【０００８】
以下に、本発明の実施形態に係る構造体支持構造を説明する。本発明は、以下に記載した実施形態のいずれか、またはそれらの中の二つ以上が組み合わされた態様を含む。
【０００９】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる。
上記の実施形態の構成により、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる。上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる。
その結果、構造体が、Ｙ軸に沿った両方の向きの移動を抑制されつつＸ軸に沿って摺動する上部案内部材と中間案内部材を介して支持されて、Ｘ軸に沿って安定して移動できる。
【００１０】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材が前記Ｘ軸摺動面に沿って形成される係合部が他方の左右一対の前記摺動部材が前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って形成される係合部が他方の左右一対の摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束できる。
上記の実施形態の構成により、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材に前記Ｘ軸摺動面に沿って係合部が形成される。他方の左右一対の前記摺動部材に前記Ｘ軸摺動面に沿って被係合部が形成される。前記係合部が前記被係合部に係合して一方の左右一対の前記摺動部材と他方の左右一対の前記摺動部材とのＹ軸方向に沿った両方の方向の相対移動を拘束できる。上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って係合部が形成される。他方の左右一対の摺動部材に前記Ｘ軸摺動面に沿って被係合部が形成される。前記係合部が前記被係合部に係合して一方の左右一対の前記摺動部材と他方の左右一対の前記摺動部材とのＹ軸方向に沿った両方の方向の相対移動を拘束できる。
その結果、構造体が、Ｙ軸に沿った両方の向きの移動を抑制されつつＸ軸に沿って摺動する上部案内部材と中間案内部材を介して支持されて、Ｘ軸に沿って安定して移動できる。
【００１１】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材が前記Ｘ軸摺動面に沿って形成される係合部が他方の左右一対の前記摺動部材の左右のうちの一方の前記摺動部材が前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる。
上記の実施形態の構成により、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材に前記Ｘ軸摺動面に沿って係合部が形成される。他方の左右一対の前記摺動部材の左右のうちの一方の前記摺動部材に前記Ｘ軸摺動面に沿って被係合部が形成される。前記係合部が前記被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束できる。
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って係合部が形成される。他方の左右一対の前記摺動部材の左右のうちの他方の前記摺動部材に前記Ｘ軸摺動面に沿って被係合部が形成される。前記係合部が前記被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って係合部が形成される。他方の左右一対の前記摺動部材の左右のうちの一方の前記摺動部材に前記Ｘ軸摺動面に沿って被係合部が形成される。前記係合部が前記被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って係合部が形成される。他方の左右一対の前記摺動部材の左右のうちの他方の前記摺動部材に前記Ｘ軸摺動面に沿って被係合部が形成される。前記係合部が前記被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる。
その結果、構造体が、Ｙ軸に沿った両方の向きの移動を抑制されつつＸ軸に沿って摺動する上部案内部材と中間案内部材を介して支持されて、Ｘ軸に沿って安定して移動できる。
【００１２】
本発明の実施形態に係る構造体支持構造は、左右一対の前記上部Ｘ軸一方向摺動部材がＹ軸に沿って間に隙間を設けられ、左右一対の前記上部Ｘ軸逆方向摺動部材がＹ軸に沿って間に隙間を設けられ、左右一対の前記中間Ｘ軸一方向摺動部材がＹ軸に沿って間に隙間を設けられ、左右一対の前記中間Ｘ軸逆方向摺動部材がＹ軸に沿って間に隙間を設けられる。
上記の実施形態の構成により、左右一対の前記上部Ｘ軸一方向摺動部材がＹ軸に沿って間に隙間を設けられる。左右一対の前記上部Ｘ軸逆方向摺動部材がＹ軸に沿って間に隙間を設けられる。左右一対の前記中間Ｘ軸一方向摺動部材がＹ軸に沿って間に隙間を設けられる。左右一対の前記中間Ｘ軸逆方向摺動部材がＹ軸に沿って間に隙間を設けられる。
その結果、構造体に作用する転倒モーメントを左右一対の前記摺動部材で支持できる。
【００１３】
上記目的を達成するため、本発明に係る構造体を基礎に対して支持するための構造体支持構造を、構造体に固定される上部案内部材と、前記上部案内部材の下方に位置し基礎に支持される下部案内部材と、前記上部案内部材と前記下部案内部材との間に位置する中間案内部材と、を備え、水平面内で一対の仮想の軸であるＸ軸とＹ軸とが直交し、前記上部案内部材に形成された下向きの面であるＸ軸摺動面と前記中間案内部材に形成された上向きの面であるＸ軸摺動面とが摺動してＸ軸に沿って相対移動でき、前記中間案内部材に形成された下向きの面であるＹ軸摺動面と前記下部案内部材に形成された上向きの面であるＹ軸摺動面とが摺動してＹ軸に沿って相対移動でき、前記Ｘ軸摺動面はＹ軸に沿って並列して位置する左右一対のＸ軸一方向摺動面とＹ軸に沿って並列して位置する左右一対のＸ軸逆方向摺動面とを含み、左右一対の前記Ｘ軸一方向摺動面はＸ軸に沿って共に一方の方向に移るに従って上向きに各々に傾斜し、左右一対の前記Ｘ軸逆方向摺動面はＸ軸に沿って共に逆の方向に移るに従って上向きに各々に傾斜し、前記Ｙ軸摺動面はＸ軸に沿って並列して位置する左右一対のＹ軸一方向摺動面とＸ軸に沿って並列して位置する左右一対のＹ軸逆方向摺動面とを含み、左右一対の前記Ｙ軸一方向摺動面はＹ軸に沿って共に一方の方向に移るに従って上向きに各々に傾斜し、左右一対の前記Ｙ軸逆方向摺動面はＹ軸に沿って共に逆の方向に移るに従って上向きに各々に傾斜し、前記上部案内部材が左右一対の下向きの前記Ｘ軸一方向摺動面を各々に形成する左右一対の摺動部材である左右一対の上部Ｘ軸一方向摺動部材と左右一対の下向きの前記Ｘ軸面逆方向摺動面を各々に形成する左右一対の摺動部材である左右一対の上部Ｘ軸逆方向摺動部材とを有し、前記中間案内部材が、左右一対の上向きの前記Ｘ軸一方向摺動面を各々に形成する左右一対の摺動部材である左右一対の中間Ｘ軸一方向摺動部材と左右一対の上向きのＸ軸逆方向摺動面を各々に形成する左右一対の摺動部材である左右一対の中間Ｘ軸逆方向摺動部材と、左右一対の下向きの前記Ｙ軸一方向摺動面を各々に形成する左右一対の摺動部材である左右一対の中間Ｙ軸一方向摺動部材と左右一対の下向きの前記Ｙ軸面逆方向摺動面を各々に形成する左右一対の摺動部材である左右一対の中間Ｙ軸逆方向摺動部材とを有し、前記下部案内部材が左右一対の上向きの前記Ｙ軸一方向摺動面を形成する左右一対の摺動部材である左右一対の下部Ｙ軸一方向摺動部材と左右一対の上向きのＹ軸逆方向摺動面を各々に形成する左右一対の摺動部材である左右一対の下部Ｙ軸逆方向摺動部材とを有し、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束できる、ものとした。
【００１４】
上記本発明の構成により、上部案内部材は、構造体に固定される。下部案内部材は、前記上部案内部材の下方に位置し基礎に支持される。中間案内部材は、前記上部案内部材と前記下部案内部材との間に位置する。水平面内で一対の仮想の軸であるＸ軸とＹ軸とが直交する。前記上部案内部材に形成された下向きの面であるＸ軸摺動面と前記中間案内部材に形成された上向きの面であるＸ軸摺動面とが摺動してＸ軸に沿って相対移動できる。前記中間案内部材に形成された下向きの面であるＹ軸摺動面と前記下部案内部材に形成された上向きの面であるＹ軸摺動面とが摺動してＹ軸に沿って相対移動できる。前記Ｘ軸摺動面はＹ軸に沿って並列して位置する左右一対のＸ軸一方向摺動面とＹ軸に沿って並列して位置する左右一対のＸ軸逆方向摺動面とを含む。左右一対の前記Ｘ軸一方向摺動面はＸ軸に沿って共に一方の方向に移るに従って上向きに各々に傾斜する。左右一対の前記Ｘ軸逆方向摺動面はＸ軸に沿って共に逆の方向に移るに従って上向きに各々に傾斜する。前記Ｙ軸摺動面はＸ軸に沿って並列して位置する左右一対のＹ軸一方向摺動面とＸ軸に沿って並列して位置する左右一対のＹ軸逆方向摺動面とを含む。左右一対の前記Ｙ軸一方向摺動面はＹ軸に沿って共に一方の方向に移るに従って上向きに各々に傾斜する。左右一対の前記Ｙ軸逆方向摺動面はＹ軸に沿って共に逆の方向に移るに従って上向きに各々に傾斜する。前記上部案内部材が左右一対の下向きの前記Ｘ軸一方向摺動面を各々に形成する左右一対の摺動部材である左右一対の上部Ｘ軸一方向摺動部材と左右一対の下向きの前記Ｘ軸面逆方向摺動面を各々に形成する左右一対の摺動部材である左右一対の上部Ｘ軸逆方向摺動部材とを有する。前記中間案内部材が、左右一対の上向きの前記Ｘ軸一方向摺動面を各々に形成する左右一対の摺動部材である左右一対の中間Ｘ軸一方向摺動部材と左右一対の上向きのＸ軸逆方向摺動面を各々に形成する左右一対の摺動部材である左右一対の中間Ｘ軸逆方向摺動部材と、左右一対の下向きの前記Ｙ軸一方向摺動面を各々に形成する左右一対の摺動部材である左右一対の中間Ｙ軸一方向摺動部材と左右一対の下向きの前記Ｙ軸面逆方向摺動面を各々に形成する左右一対の摺動部材である左右一対の中間Ｙ軸逆方向摺動部材とを有する。前記下部案内部材が左右一対の上向きの前記Ｙ軸一方向摺動面を形成する左右一対の摺動部材である左右一対の下部Ｙ軸一方向摺動部材と左右一対の上向きのＹ軸逆方向摺動面を各々に形成する左右一対の摺動部材である左右一対の下部Ｙ軸逆方向摺動部材とを有する。
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束できる。
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って係合部が形成される。他方の左右一対の前記摺動部材の左右の少なくともどちらか一方の前記摺動部材に前記Ｙ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束できる。
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って係合部が形成される。他方の左右一対の前記摺動部材の左右の少なくともどちらか一方の前記摺動部材に前記Ｙ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束できる、
その結果、構造体が、Ｙ軸に沿った一方の向きの移動を抑制されつつＸ軸に沿って摺動する上部案内部材と中間案内部材を介して支持されて、Ｘ軸に沿った一方の向きの移動を抑制されつつＹ軸に沿って摺動する中間案内部材と下部案内部材とを介して支持されて、Ｘ軸とＹ軸とに沿って安定して移動できる。
【００１５】
以下に、本発明の実施形態に係る構造体支持構造を説明する。本発明は、以下に記載した実施形態のいずれか、またはそれらの中の二つ以上が組み合わされた態様を含む。
【００１６】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の摺動部材の左右の少なくともどちらか一方の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束できる。
上記の実施形態の構成により、
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の摺動部材の左右の少なくともどちらか一方の前記摺動部材とのＹ軸方向に沿った両方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って係合部が形成される。他方の左右一対の前記摺動部材の左右の少なくともどちらか一方の前記摺動部材に前記Ｘ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる。
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って係合部が形成される。他方の左右一対の前記摺動部材の左右の少なくともどちらか一方の前記摺動部材に前記Ｙ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束できる。
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って係合部が形成される。他方の左右一対の前記摺動部材の左右の少なくともどちらか一方の前記摺動部材に前記Ｙ軸摺動面に沿って被係合部が形成される。前記係合部が前記被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束できる。
その結果、構造体が、Ｙ軸に沿った両方の向きの移動を抑制されつつＸ軸に沿って摺動する上部案内部材と中間案内部材を介して支持され、Ｘ軸に沿った両方の向きの移動を抑制されつつＹ軸に沿って摺動する中間案内部材と下部案内部材とを介して支持され、Ｘ軸とＹ軸とに沿って安定して移動できる。
【００１７】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材に前記Ｘ軸摺動面に沿って形成される係合部が他方の左右一対の前記摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って形成される係合部が他方の左右一対の摺動部材に前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材に前記Ｙ軸摺動面に沿って形成される係合部が他方の左右一対の前記摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材に前記Ｙ軸摺動面に沿って形成される係合部が他方の左右一対の摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束できる。
上記の実施形態の構成により、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材に前記Ｘ軸摺動面に沿って係合部が形成される。他方の左右一対の前記摺動部材に前記Ｘ軸摺動面に沿って被係合部が形成される。前記係合部が前記被係合部に係合して一方の左右一対の前記摺動部材と他方の左右一対の前記摺動部材とのＹ軸方向に沿った両方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材に前記Ｘ軸摺動面に沿って係合部が形成される。他方の左右一対の摺動部材に前記Ｘ軸摺動面に沿って被係合部が形成される。前記係合部が前記被係合部に係合して一方の左右一対の前記摺動部材と他方の左右一対の前記摺動部材とのＹ軸方向に沿った両方の方向の相対移動を拘束できる。
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材に前記Ｙ軸摺動面に沿って係合部が形成される。他方の左右一対の前記摺動部材に前記Ｙ軸摺動面に沿って被係合部が形成される。前記係合部が前記被係合部に係合して一方の左右一対の前記摺動部材と他方の左右一対の前記摺動部材とのＸ軸方向に沿った両方の方向の相対移動を拘束できる。
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材に前記Ｙ軸摺動面に沿って係合部が形成される。他方の左右一対の摺動部材に前記Ｙ軸摺動面に沿って被係合部が形成される。前記係合部が前記被係合部に係合して一方の左右一対の前記摺動部材と他方の左右一対の前記摺動部材とのＸ軸方向に沿った両方の方向の相対移動を拘束できる。
その結果、構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。
【００１８】
本発明の実施形態に係る構造体支持構造は、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被告係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って形成される係合部が他方の左右一対の前記摺動部材の左右のうちの一方の前記摺動部材に前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って形成される係合部が他方の左右一対の前記摺動部材の左右のうちの他方の前記摺動部材に前記Ｘ軸摺動面に沿って形成される被告係合部に係合して一方の左右一対の前記摺動部材の左右のうちの他方の前記摺動部材と他方の左右一対の摺動部材の左右のうちの他方の前記摺動部材とのＹ軸方向に沿った方向のうちの他方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他の左右一対の前記摺動部材の左右のうちの一方の前記摺動部材とのＸ軸方向に沿った方向のうちの一方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＸ軸方向に沿った方向のうちの一方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束できる。
上記の実施形態の構成により、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材に前記Ｘ軸摺動面に沿って係合部が形成される。他方の左右一対の前記摺動部材の左右のうちの一方の前記摺動部材が前記Ｘ軸摺動面に沿って被告係合部を形成される。前記係合部が前記被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束できる。
上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材に前記Ｘ軸摺動面に沿って係合部が形成される。他方の左右一対の前記摺動部材の左右のうちの他方の前記摺動部材が前記Ｘ軸摺動面に沿って被告係合部を形成される。前記係合部が前記被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材に前記Ｘ軸摺動面に沿って係合部が形成される。他方の左右一対の前記摺動部材の左右のうちの一方の前記摺動部材が前記Ｘ軸摺動面に沿って被告係合部を形成される。前記係合部が前記被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束できる。
上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材に前記Ｘ軸摺動面に沿って係合部が形成される。他方の左右一対の前記摺動部材の左右のうちの他方の前記摺動部材が前記Ｘ軸摺動面に沿って被告係合部を形成される。前記係合部が前記被係合部に係合して一方の左右一対の前記摺動部材の左右のうちの他方の前記摺動部材と他方の左右一対の摺動部材の左右のうちの他方の前記摺動部材とのＹ軸方向に沿った方向のうちの他方の方向の相対移動を拘束できる。
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの一方の前記摺動部材に前記Ｙ軸摺動面に沿って係合部が形成される。他方の左右一対の前記摺動部材の左右のうちの一方の前記摺動部材に前記Ｙ軸摺動面に沿って被係合部が形成される。前記係合部が前記被係合部に係合して一方の左右一対の前記摺動部材の左右のうちの一方の前記摺動部材と他の左右一対の前記摺動部材の左右のうちの一方の前記摺動部材とのＸ軸方向に沿った方向のうちの一方の方向の相対移動を拘束できる。
上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの他方の前記摺動部材に前記Ｙ軸摺動面に沿って係合部が形成される。他方の左右一対の前記摺動部材の左右のうちの他方の前記摺動部材に前記Ｙ軸摺動面に沿って被係合部が形成される。前記係合部が前記被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束できる。
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの一方の前記摺動部材に前記Ｙ軸摺動面に沿って係合部が形成される。他方の左右一対の前記摺動部材の左右のうちの一方の前記摺動部材に前記Ｙ軸摺動面に沿って被係合部が形成される。前記係合部が前記被係合部に係合して一方の左右一対の前記摺動部材の左右のうちの一方の前記摺動部材と他方の左右一対の前記摺動部材の左右のうちの一方の前記摺動部材とのＸ軸方向に沿った方向のうちの一方の方向の相対移動を拘束できる。
上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの他方の前記摺動部材に前記Ｙ軸摺動面に沿って係合部が形成される。他方の左右一対の前記摺動部材の左右のうちの他方の前記摺動部材に前記Ｙ軸摺動面に沿って被係合部が形成される。前記係合部が前記被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束できる。
その結果、構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。
【００１９】
本発明の実施形態に係る構造体支持構造は、右一対の前記上部Ｘ軸一方向摺動部材がＹ軸に沿って間に隙間を設けられ、左右一対の前記上部Ｘ軸逆方向摺動部材がＹ軸に沿って間に隙間を設けられ、左右一対の前記中間Ｘ軸一方向摺動部材がＹ軸に沿って間に隙間を設けられ、左右一対の前記中間Ｘ軸逆方向摺動部材がＹ軸に沿って間に隙間を設けられ、左右一対の前記中間Ｙ軸一方向摺動部材がＸ軸に沿って間に隙間を設けられ、左右一対の前記中間Ｙ軸逆方向摺動部材がＸ軸に沿って間に隙間を設けられ、左右一対の前記下部Ｙ軸一方向摺動部材がＸ軸に沿って間に隙間を設けられ、左右一対の前記下部Ｙ軸逆方向摺動部材がＸ軸に沿って間に隙間を設けられる。
上記の実施形態の構成により、右一対の前記上部Ｘ軸一方向摺動部材がＹ軸に沿って間に隙間を設けられる。
左右一対の前記上部Ｘ軸逆方向摺動部材がＹ軸に沿って間に隙間を設けられる。
左右一対の前記中間Ｘ軸一方向摺動部材がＹ軸に沿って間に隙間を設けられる。
左右一対の前記中間Ｘ軸逆方向摺動部材がＹ軸に沿って間に隙間を設けられる。
左右一対の前記中間Ｙ軸一方向摺動部材がＸ軸に沿って間に隙間を設けられる。
左右一対の前記中間Ｙ軸逆方向摺動部材がＸ軸に沿って間に隙間を設けられる。
左右一対の前記下部Ｙ軸一方向摺動部材がＸ軸に沿って間に隙間を設けられる。
左右一対の前記下部Ｙ軸逆方向摺動部材がＸ軸に沿って間に隙間を設けられる。
その結果、構造体に作用する転倒モーメントを左右一対の前記摺動部材で支持できる。
【００２０】
本発明の実施形態に係る構造体支持構造は、前記係合部が摺動方向に交差する向きに互いに傾斜する左右一対の摺動面の交差する箇所に形成され摺動面に沿って摺動方向に延びる峰状の部分であり、前記被係合部が摺動方向に交差する向きに互いに傾斜する左右一対の摺動面の交差する箇所に形成され摺動面に沿って摺動方向に延びる谷状の部分であり、前記係合部の峰状の部分と前記被係合部の谷状の部分が当接して前記係合部が前記被係合部に係合する。
上記の実施形態の構成により、前記係合部が摺動方向に交差する向きに互いに傾斜する左右一対の摺動面の交差する箇所に形成され摺動面に沿って摺動方向に延びる峰状の部分である。前記被係合部が摺動方向に交差する向きに互いに傾斜する左右一対の摺動面の交差する箇所に形成され摺動面に沿って摺動方向に延びる谷状の部分である。
前記係合部の峰状の部分と前記被係合部の谷状の部分が当接して前記係合部が前記被係合部に係合する。
その結果、軸方向に直交方向の相対移動を拘束でき、軸方向に案内できる。
【００２１】
本発明の実施形態に係る構造体支持構造は、前記係合部が摺動方向に交差する水平方向の一方の方向に面を向け摺動面に沿って摺動方向に延びる壁状の部分であり、前記被係合部が摺動方向に交差する水平方向の他方の方向に面を向け摺動面に沿って摺動方向に延びる壁状の部分であり、前記係合部の壁状の部分と前記被係合部の壁状の部分が当接して前記係合部が前記被係合部に係合する。
上記の実施形態の構成により、前記係合部が摺動方向に交差する水平方向の一方の方向に面を向け摺動面に沿って摺動方向に延びる壁状の部分である。前記被係合部が摺動方向に交差する水平方向の他方の方向に面を向け摺動面に沿って摺動方向に延びる壁状の部分である。前記係合部の壁状の部分と前記被係合部の壁状の部分が当接して前記係合部が前記被係合部に係合する。
その結果、軸方向に直交方向の相対移動を拘束でき、軸方向に案内できる。
【００２２】
本発明の実施形態に係る構造体支持構造は、前記係合部が摺動方向に交差する水平方向に沿って一対の面を外側へ向け摺動面に沿って摺動方向に延びる一対の壁状の部分であり、前記被係合部が摺動方向に交差する水平方向に沿って一対の面を内側に向け摺動面に沿って摺動方向に延びる一対の壁状の部分であり、前記係合部の一対の前記壁状の部分と前記被係合部の一対の前記壁状の部分とが当接して前記係合部が前記被係合部に係合する。  上記の実施形態の構成により、前記係合部が摺動方向に交差する水平方向に沿って一対の面を外側へ向け摺動面に沿って摺動方向に延びる一対の壁状の部分である。前記被係合部が摺動方向に交差する水平方向に沿って一対の面を内側に向け摺動面に沿って摺動方向に延びる一対の壁状の部分である。前記係合部の一対の前記壁状の部分と前記被係合部の一対の前記壁状の部分とが当接して前記係合部が前記被係合部に係合する。
その結果、軸方向に直交方向の相対移動を拘束でき、軸方向に案内できる。
【００２３】
本発明の実施形態に係る構造体支持構造は、前記係合部が摺動方向に交差する方向に沿って上下方向に湾曲する摺動面に沿って摺動方向に延びる凸状の部分であり、前記被係合部が摺動方向に交差する方向に沿って上下方向に湾曲する摺動面に沿って摺動方向に延びる凹状の部分であり、前記係合部の前記凸状の部分と前記被係合部の前記凹状の部分とが当接して前記係合部が前記被係合部に係合する。
上記の実施形態の構成により、前記係合部が摺動方向に交差する方向に沿って上下方向に湾曲する摺動面に沿って摺動方向に延びる凸状の部分である。前記被係合部が摺動方向に交差する方向に沿って上下方向に湾曲する摺動面に沿って摺動方向に延びる凹状の部分である。前記係合部の前記凸状の部分と前記被係合部の前記凹状の部分とが当接して前記係合部が前記被係合部に係合する。
その結果、軸方向に直交方向の相対移動を拘束でき、軸方向に案内できる。
【発明の効果】
【００２４】
以上説明したように、本発明に係る構造体支持構造は、その構成により、以下の効果を有する
構造体に固定される上部案内部材が左右一対の下向きの前記Ｘ軸一方向摺動面を形成する左右一対の上部Ｘ軸一方向摺動部材と左右一対の下向きの前記Ｘ軸面逆方向摺動面を各々に形成する左右一対の上部Ｘ軸逆方向摺動部材とを有し、基礎に指示される中間案内部材が左右一対の上向きの前記Ｘ軸一方向摺動面を各々に形成する左右一対の中間Ｘ軸一方向摺動部材と左右一対の上向きのＸ軸逆方向摺動面を各々に形成する左右一対の中間Ｘ軸逆方向摺動部材とを有し、左右一対の前記Ｘ軸一方向摺動面はＸ軸に沿って共に一方の方向に移るに従って上向きに各々に傾斜し、左右一対の前記Ｘ軸逆方向摺動面はＸ軸に沿って共に逆の方向に移るに従って上向きに各々に傾斜し、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材に前記Ｘ軸摺動面に沿って形成される被係合部に係合して一方の左右一対の該摺動部材の左右の少なくともどちらか一方の前記摺動部材と他方の左右一対の該摺動部材の左右の少なくともどちらか一方の前記摺動部材とのＹ軸方向に沿った少なくとも一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材に前記Ｘ軸摺動面に沿って形成される係合部が他方の左右一対の前記摺動部材の左右の少なくともどちらか一方の前記摺動部材が前記Ｘ軸摺動面沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくとも一方の方向の相対移動を拘束できる様にしたので、構造体が、Ｙ軸に沿った一方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材が前記Ｘ軸摺動面に沿って形成される係合部が他方の左右一対の前記摺動部材が前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材が前記Ｘ軸摺動面に沿って形成される係合部が他方の左右一対の摺動部材が前記Ｘ軸摺動面に沿って形成される被係合部に係合して一方の左右一対の前記摺動部材と他方の左右一対の前記摺動部材とのＹ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材が前記Ｘ軸摺動面に沿って形成される係合部が他方の左右一対の前記摺動部材の左右のうちの一方の前記摺動部材が前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材が前記Ｘ軸摺動面に沿って形成される係合部が他方の左右一対の前記摺動部材の左右のうちの他方の前記摺動部材が前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材が前記Ｘ軸摺動面に沿って形成される係合部が他方の左右一対の前記摺動部材の左右のうちの一方の前記摺動部材が前記Ｘ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材が前記Ｘ軸摺動面に沿って形成される係合部が他方の左右一対の前記摺動部材の左右のうちの他方の前記摺動部材が前記Ｘ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿って安定して移動できる。
また、左右一対の前記上部Ｘ軸一方向摺動部材がＹ軸に沿って間に隙間を設けられ、左右一対の前記上部Ｘ軸逆方向摺動部材がＹ軸に沿って間に隙間を設けられ、左右一対の前記中間Ｘ軸一方向摺動部材がＹ軸に沿って間に隙間を設けられ、左右一対の前記中間Ｘ軸逆方向摺動部材がＹ軸に沿って間に隙間を設けられるる様にしたので、構造体に作用する転倒モーメントを左右一対の前記摺動部材で支持できる。
また、構造体に固定される上部案内部材が左右一対の下向きの前記Ｘ軸一方向摺動面を形成する左右一対の上部Ｘ軸一方向摺動部材と左右一対の下向きの前記Ｘ軸面逆方向摺動面を各々に形成する左右一対の上部Ｘ軸逆方向摺動部材とを有し、
基礎に支持される上部案内部材の下に位置する下部案内部材が左右一対の下向きの前記Ｙ軸一方向摺動面を形成する左右一対の下部Ｙ軸一方向摺動部材と左右一対の下向きの前記Ｙ軸面逆方向摺動面を各々に形成する左右一対の下部Ｙ軸逆方向摺動部材とを有し、
左右一対の前記Ｘ軸一方向摺動面はＸ軸に沿って共に一方の方向に移るに従って上向きに各々に傾斜し、左右一対の前記Ｘ軸逆方向摺動面はＸ軸に沿って共に逆の方向に移るに従って上向きに各々に傾斜し、左右一対の前記Ｙ軸一方向摺動面はＹ軸に沿って共に一方の方向に移るに従って上向きに各々に傾斜し、左右一対の前記Ｙ軸逆方向摺動面はＹ軸に沿って共に逆の方向に移るに従って上向きに各々に傾斜し、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った少なくともどちらか一方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される被係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った少なくともどちらか一方の方向の相対移動を拘束できる様にしたので、構造体が、Ｙ軸に沿った一方の向きの移動を抑制されつつＸ軸に沿って摺動する上部案内部材と中間案内部材を介して支持されて、Ｘ軸に沿った一方の向きの移動を抑制されつつＹ軸に沿って摺動する中間案内部材と下部案内部材とを介して支持されて、Ｘ軸とＹ軸とに沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の摺動部材の左右の少なくともどちらか一方の前記摺動部材とのＹ軸方向に沿った両方の方向の相対移動を拘束できる、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右の少なくともどちらか一方の前記摺動部材が前記Ｘ軸摺動面に沿って形成される係合部が他方の左右一対の前記摺動部材の左右の少なくともどちらか一方の前記摺動部材が前記Ｘ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＹ軸方向に沿った両方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右の少なくともどちらか一方の前記摺動部材に前記Ｙ軸摺動面に沿って形成される係合部が他方の左右一対の前記摺動部材の左右の少なくともどちらか一方の前記摺動部材に前記Ｙ軸摺動面に沿って形成される被係合部に係合して一方の左右一対の前記摺動部材の左右の少なくともどちらか一方の前記摺動部材と他方の左右一対の前記摺動部材の左右の少なくともどちらか一方の前記摺動部材とのＸ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持され、Ｘ軸に沿った両方の向きの移動を抑制されつつＹ軸に沿って摺動する中間案内部材と下部案内部材とを介して支持され、Ｘ軸とＹ軸とに沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材が前記Ｘ軸摺動面に沿って形成される係合部が他方の左右一対の前記摺動部材が前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材が前記Ｘ軸摺動面に沿って形成される係合部が他方の左右一対の摺動部材が前記Ｘ軸摺動面に沿って形成される被係合部に係合して一方の左右一対の前記摺動部材と他方の左右一対の前記摺動部材とのＹ軸方向に沿った両方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材に前記Ｙ軸摺動面に沿って形成される係合部が他方の左右一対の前記摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束できる、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材に前記Ｙ軸摺動面に沿って形成される係合部が他方の左右一対の摺動部材に前記Ｙ軸摺動面に沿って形成される被係合部に係合して一方の左右一対の前記摺動部材と他方の左右一対の前記摺動部材とのＸ軸方向に沿った両方の方向の相対移動を拘束できる、様にしたので、構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。
また、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの一方の前記摺動部材が前記Ｘ軸摺動面に沿って形成される係合部が他方の左右一対の前記摺動部材の左右のうちの一方の前記摺動部材が前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸一方向摺動部材と左右一対の前記中間Ｘ軸一方向摺動部材とのうちのどちらか一方の左右一対の前記摺動部材の左右のうちの他方の前記摺動部材が前記Ｘ軸摺動面に沿って形成される係合部が他方の左右一対の前記摺動部材の左右のうちの他方の前記摺動部材が前記Ｘ軸摺動面に沿って形成される被告係合部に係合して一方の左右一対の前記摺動部材の左右のうちの他方の前記摺動部材と他方の左右一対の前記摺動部材の左右のうちの他方の前記摺動部材とのＹ軸方向に沿った方向のうちの他方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの一方の前記摺動部材が前記Ｘ軸摺動面に沿って形成される係合部が他方の左右一対の前記摺動部材の左右のうちの一方の前記摺動部材が前記Ｘ軸摺動面に沿って形成される被告係合部に係合して一方の左右一対の前記摺動部材の左右のうちの一方の前記摺動部材と他方の左右一対の前記摺動部材の左右のうちの一方の前記摺動部材とのＹ軸方向に沿った方向のうちの一方の方向の相対移動を拘束でき、上下に重なりＸ軸方向に摺動できる左右一対の前記上部Ｘ軸逆方向摺動部材と左右一対の前記中間Ｘ軸逆方向摺動部材とのうちのどちらか一方の左右一対の前記摺動部材の左右のうちの他方の前記摺動部材が前記Ｘ軸摺動面に沿って形成される係合部が他方の左右一対の前記摺動部材の左右のうちの他方の前記摺動部材が前記Ｘ軸摺動面に沿って形成される被告係合部に係合して一方の左右一対の前記摺動部材の左右のうちの他方の前記摺動部材と他方の左右一対の摺動部材の左右のうちの他方の前記摺動部材とのＹ軸方向に沿った方向のうちの他方の方向の相対移動を拘束でき、上下に重なりＹ軸方向に摺動できる左右一対の前記中間Ｙ軸一方向摺動部材と左右一対の前記下部Ｙ軸一方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他の左右一対の前記摺動部材の左右のうちの一方の前記摺動部材とのＸ軸方向に沿った方向のうちの一方の方向の相対移動を拘束でき、
上下に重なりＹ軸方向に摺動できる左右一対の前記中間Ｙ軸一方向摺動部材と左右一対前記下部Ｙ軸一方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの一方の前記摺動部材に前記Ｙ軸摺動面に沿って形成される係合部が他方の左右一対の前記摺動部材の左右のうちの一方の前記摺動部材に前記Ｙ軸摺動面に沿って形成される被係合部に係合して一方の左右一対の前記摺動部材の左右のうちの一方の前記摺動部材と他方の左右一対の前記摺動部材の左右のうちの一方の前記摺動部材とのＸ軸方向に沿った方向のうちの一方の方向の相対移動を拘束でき、上下に重なりＹ軸方向に摺動できる左右一対の前記中間Ｙ軸逆方向摺動部材と左右一対の前記下部Ｙ軸逆方向摺動部材とのうちのどちらか一方の左右一対の前記摺動部材の左右のうちの他方の前記摺動部材に前記Ｙ軸摺動面に沿って形成される係合部が他方の左右一対の前記摺動部材の左右のうちの他方の前記摺動部材に前記Ｙ軸摺動面に沿って形成される被係合部に係合して一方の左右一対の前記摺動部材の左右のうちの他方の前記摺動部材と他方の左右一対の前記摺動部材の左右のうちの他方の前記摺動部材とのＸ軸方向に沿った方向のうちの他方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。
また、右一対の前記上部Ｘ軸一方向摺動部材がＹ軸に沿って間に隙間を設けられ、左右一対の前記上部Ｘ軸逆方向摺動部材がＹ軸に沿って間に隙間を設けられ、左右一対の前記中間Ｘ軸一方向摺動部材がＹ軸に沿って間に隙間を設けられ、左右一対の前記中間Ｘ軸逆方向摺動部材がＹ軸に沿って間に隙間を設けられ、左右一対の前記中間Ｙ軸一方向摺動部材がＸ軸に沿って間に隙間を設けられ、左右一対の前記中間Ｙ軸逆方向摺動部材がＸ軸に沿って間に隙間を設けられ、左右一対の前記下部Ｙ軸一方向摺動部材がＸ軸に沿って間に隙間を設けられ、左右一対の前記下部Ｙ軸逆方向摺動部材がＸ軸に沿って間に隙間を設けられる様にしたので、構造体に作用する転倒モーメントを左右一対の前記摺動部材で支持できる。
また、前記係合部の摺動方向に交差する向きに互いに傾斜する左右一対の摺動面の交差する箇所に形成され摺動面に沿って摺動方向に延びる峰状の部分と前記被係合部の摺動方向に交差する向きに互いに傾斜する左右一対の摺動面の交差する箇所に形成され摺動面に沿って摺動方向に延びる谷状の部分とが当接して前記係合部が前記被係合部に係合する様にしたので、軸方向に直交方向の相対移動を拘束でき、軸方向に案内できる。
また、前記係合部の摺動方向に交差する一方の方向に面を向け摺動面に沿って摺動方向に延びる壁状の部分と前記被係合部の摺動方向に交差する他方の方向に面を向け摺動面に沿って摺動方向に延びる壁状の部分とが当接して前記係合部が前記被係合部に係合する様にしたので、軸方向に直交方向の相対移動を拘束でき、軸方向に案内できる。
また、前記係合部の摺動方向に交差する方向に沿って一対の面を外側へ向け摺動面に沿って摺動方向に延びる一対の壁状の部分と前記被係合部の摺動方向に交差する方向に沿って一対の面を内側に向け摺動面に沿って摺動方向に延びる一対の壁状の部分とが当接して前記係合部が前記被係合部に係合する様にしたので、軸方向に直交方向の相対移動を拘束でき、軸方向に案内できる。
また、前記係合部の摺動方向に交差する方向に沿って上下方向に湾曲する摺動面に沿って摺動方向に延びる凸状の部分と前記被係合部の摺動方向に交差する方向に沿って上下方向に湾曲する摺動面に沿って摺動方向に延びる凹状の部分とが当接して前記係合部が前記被係合部に係合する様にしたので、軸方向に直交方向の相対移動を拘束でき、軸方向に案内できる。
従って、簡易な構造で免震対象の構造体を基礎に対して支持するための構造体支持構造を提供できる。
【図面の簡単な説明】
【００２５】
【図１】本発明の第一の実施形態に係る構造体支持構造の斜視図である。
【図２】本発明の第一の実施形態に係る構造体支持構造の作用説明図その１である。
【図３】本発明の第一の実施形態に係る構造体支持構造の部分斜視図その１である。
【図４】本発明の第一の実施形態に係る構造体支持構造の部分斜視図その２である。
【図５】本発明の第一の実施形態に係る構造体支持構造の部分斜視図その３である。
【図６】本発明の第一の実施形態に係る構造体支持構造の部分斜視図その４である。
【図７】本発明の第一の実施形態に係る構造体支持構造の側面図である。
【図８】本発明の第一の実施形態に係る構造体支持構造の部分平面図その１である。
【図９】本発明の第一の実施形態に係る構造体支持構造の部分平面図その２である。
【図１０】本発明の第一の実施形態に係る摺動部材の部分側面図その１である。
【図１１】本発明の第一の実施形態に係る摺動部材の部分側面図その１である。
【図１２】本発明の第二の実施形態に係る構造体支持構造の斜視図である。
【図１３】本発明の第二の実施形態に係る構造体支持構造の作用説明図その１である。
【図１４】本発明の第二の実施形態に係る構造体支持構造の部分斜視図その１である。
【図１５】本発明の第二の実施形態に係る構造体支持構造の部分斜視図その２である。
【図１６】本発明の第二の実施形態に係る構造体支持構造の部分斜視図その３である。
【図１７】本発明の第二の実施形態に係る構造体支持構造の部分斜視図その４である。
【図１８】本発明の第二の実施形態に係る構造体支持構造の側面図である。
【図１９】本発明の第二の実施形態に係る構造体支持構造の部分平面図その１である。
【図２０】本発明の第二の実施形態に係る構造体支持構造の部分平面図その２である。
【図２１】本発明の第二の実施形態に係る摺動部材の部分側面図その１である。
【図２２】本発明の第二の実施形態に係る摺動部材の部分側面図その１である。
【図２３】本発明の第三の実施形態に係る構造体支持構造の斜視図である。
【図２４】本発明の第三の実施形態に係る構造体支持構造の作用説明図その１である。
【図２５】本発明の第三の実施形態に係る構造体支持構造の部分斜視図その１である。
【図２６】本発明の第三の実施形態に係る構造体支持構造の部分斜視図その２である。
【図２７】本発明の第三の実施形態に係る構造体支持構造の部分斜視図その３である。
【図２８】本発明の第三の実施形態に係る構造体支持構造の部分斜視図その４である。
【図２９】本発明の第三の実施形態に係る構造体支持構造の側面図である。
【図３０】本発明の第三の実施形態に係る構造体支持構造の部分平面図その１である。
【図３１】本発明の第三の実施形態に係る構造体支持構造の部分平面図その２である。
【図３２】本発明の第三の実施形態に係る摺動部材の部分側面図その１である。
【図３３】本発明の第三の実施形態に係る摺動部材の部分側面図その１である。
【図３４】本発明の実施形態に係る各種の摺動部材の側面図である。
【図３５】本発明の実施形態にかかる構造体の斜視図である。
【発明を実施するための形態】
【００２６】
以下、本発明を実施するための形態を、説明する。
最初に、本発明の実施形態にかかる構造体支持構造を、図を基に、説明する。
図１乃至１１は、本発明の第一の実施形態に係る構造体支持構造２２を説明する図である。図１２乃至２２は、本発明の第二の実施形態に係る構造体支持構造２２を説明する図である。図２３乃至３３は、本発明の第三の実施形態に係る構造体支持構造２２を説明する図である。図３４は、本発明の実施形態に係る各種の摺動部材の側面図である。
図３５は、本発明の実施形態に係る構造体の斜視図である。
【００２７】
構造体支持構造５０は、構造体３０を基礎４０に対して支持するための構造である。
例えば、基礎４０に据え付けられる１つの構造体支持構造５０が、構造体３０を支持する。
例えば、基礎４０に据え付けられる複数の構造体支持構造５０が、構造体３０を支持する。
図３５は、複数の構造体支持構造５０が構造体３０を基礎４０に対して支持する様子を示す。
【００２８】
構造体支持構造５０は、上部案内部材１００と中間案内部材３００とで構成される。
構造体支持構造５０は、上部案内部材１００と下部案内部材２００と中間案内部材３００とで構成されてもよい。
構造体支持構造５０は、下部案内部材２００と中間案内部材３００とで構成されてもよい。
水平面内で一対の仮想の軸であるＸ軸とＹ軸とが直交する。
以下で、説明の便宜上、Ｘ軸摺動面Ｓｘを説明するとき用語「左右一対」は視線をＸ軸に平行にして水平に見た状態の左右をいい、Ｙ軸摺動面Ｓｙを説明するとき用語「左右一対」は視線をＹ軸に平行にして水平に見た状態に左右をいう。
図中の一点破線の矢印は、摺動面の傾斜が上向きになる方向を示す。
【００２９】
上部案内部材１００は、下向きの面であるＸ軸摺動面Ｓｘを形成される。
中間案内部材３００は、上向きの面であるＸ軸摺動面Ｓｘを形成される。
上部案内部材１００に形成されたＸ軸摺動面Ｓｘと中間案内部材３００に形成されたＸ軸摺動面Ｓｘとが摺動してＸ軸に沿って相対移動できる。
例えば、上部案内部材１００に形成されたＸ軸摺動面Ｓｘと中間案内部材３００に形成されたＸ軸摺動面ＳｘとがＸ軸に沿って互いに摺動できる。
Ｘ軸摺動面ＳｘはＹ軸に沿って並列して位置する左右一対のＸ軸一方向摺動面Ｓｘ１とＹ軸に沿って並列して位置する左右一対のＸ軸逆方向摺動面Ｓｘ２とを含む。
例えば、上部案内部材１００は、左右一対の下向きのＸ軸一方向摺動面Ｓｘ１と左右一対の下向きのＸ軸逆方向摺動面Ｓｘ２とを形成される。
左右一対の下向きのＸ軸一方向摺動面Ｓｘ１は、Ｙ軸に沿って並列して、上部案内部材１００の下部に位置する。
左右一対の下向きのＸ軸逆方向摺動面Ｓｘ２は、Ｙ軸に沿って並列して、上部案内部材１００の下部に位置する。
例えば、中間案内部材３００は左右一対の上向きのＸ軸一方向摺動面Ｓｘ１と左右一対の上向きのＸ軸逆方向摺動面Ｓｘ２とを形成される。
左右一対の上向きのＸ軸一方向摺動面Ｓｘ１は、Ｙ軸に沿って並列して、中間案内部材３００の上部に位置する。
左右一対の上向きのＸ軸逆方向摺動面Ｓｘ２は、Ｙ軸に沿って並列して、中間案内部材３００の上部に位置する。
【００３０】
左右一対のＸ軸一方向摺動面Ｓｘ１は、Ｘ軸に沿って共に一方の方向に移るに従って上向きに各々に傾斜する。
左右一対のＸ軸一方向摺動面Ｓｘ１は、Ｘ軸に沿って延びる長尺の面であってもよい。
例えば、左のＸ軸一方向摺動面Ｓｘ１は、Ｘ軸に沿って一方の方向に移るに従って上向きに傾斜する。
例えば、右のＸ軸一方向摺動面Ｓｘ１は、Ｘ軸に沿って一方の方向に移るに従って上向きに傾斜する。
【００３１】
左右一対のＸ軸一方向摺動面Ｓｘ１は、Ｘ軸に沿って共に一方の方向に移るに従って傾斜角θｘ１で上向きに各々に傾斜してもよい。
例えば、左のＸ軸一方向摺動面Ｓｘ１は、Ｘ軸に沿って一方の方向に移るに従って傾斜角θｘ１で上向きに傾斜する。
例えば、右のＸ軸一方向摺動面Ｓｘ１は、Ｘ軸に沿って一方の方向に移るに従って傾斜角θｘ１で上向きに傾斜する。
【００３２】
左右一対のＸ軸逆方向摺動面Ｓｘ２は、Ｘ軸に沿って共に逆の方向に移るに従って上向きに各々に傾斜する。
左右一対のＸ軸逆方向摺動面Ｓｘ２は、Ｘ軸に沿って延びる長尺の面である。
例えば、左のＸ軸逆方向摺動面Ｓｘ２は、Ｘ軸に沿って逆の方向に移るに従って上向きに傾斜する。
例えば、右のＸ軸逆方向摺動面Ｓｘ２は、Ｘ軸に沿って逆の方向に移るに従って上向きに各々に傾斜傾斜する。
【００３３】
左右一対のＸ軸逆方向摺動面Ｓｘ２は、Ｘ軸に沿って共に逆の方向に移るに従って傾斜角θｘ２で上向きに各々に傾斜してもよい。
例えば、左のＸ軸逆方向摺動面Ｓｘ２は、Ｘ軸に沿って逆の方向に移るに従って傾斜角θｘ２で上向きに傾斜する。
例えば、右のＸ軸逆方向摺動面Ｓｘ２は、Ｘ軸に沿って逆の方向に移るに従って傾斜角θｘ２で上向きに各々に傾斜する。
【００３４】
視線をＹ軸に沿って見て、左右一対のＸ軸一方向摺動面Ｓｘ１と左右一対のＸ軸逆方向摺動面Ｓｘ２とが交差してもよい。
【００３５】
傾斜角θｘ１、傾斜角θＸ２は、Ｘ軸摺動面の摩擦角より小さい。
傾斜角θｘ１と傾斜角θｘ２とは、等しくてもよい。
【００３６】
中間案内部材３００は下向きの面であるＹ軸摺動面Ｓｙを形成される。
下部案内部材２００は、上向きの面であるＹ軸摺動面Ｓｙを形成される。
中間案内部材３００に形成されるＹ軸摺動面Ｓｙと下部案内部材２００に形成されるＹ軸摺動面Ｓｙとは摺動してＹ軸に沿って相対移動できる。
例えば、中間案内部材３００に形成されるＹ軸摺動面Ｓｙと下部案内部材２００に形成されるＹ軸摺動面Ｓｙとは互いにＹ軸に沿って摺動できる。
Ｙ軸摺動面Ｓｙは、Ｘ軸に沿って並列して位置する左右一対のＹ軸一方向摺動面Ｓｙ１とＸ軸に沿って並列して位置する左右一対のＹ軸逆方向摺動面Ｓｙ２とを含む。
例えば、中間案内部材３００は、左右一対の下向きのＹ軸一方向摺動面Ｓｙ１と左右一対の下向きのＹ軸逆方向摺動面Ｓｙ２とを形成される。
左右一対の下向きのＹ軸一方向摺動面Ｓｙ１は、Ｘ軸に沿って並列して、中間案内部材３００の下部に位置する。
左右一対の下向きのＹ軸逆方向摺動面Ｓｙ２は、Ｘ軸に沿って並列して、中間案内部材３００の下部に位置する。
例えば、下部案内部材２００は左右一対の上向きのＹ軸一方向摺動面Ｓｙ１と左右一対の上向きのＹ軸逆方向摺動面Ｓｙ２とを形成される。
左右一対の上向きのＹ軸一方向摺動面Ｓｙ１は、Ｘ軸に沿って並列して、下部案内部材２００の上部に位置する。
左右一対の上向きのＹ軸逆方向摺動面Ｓｙ２は、Ｘ軸に沿って並列して、下部案内部材２００の上部に位置する。
【００３７】
左右一対のＹ軸一方向摺動面Ｓｙ１は、Ｙ軸に沿って共に一方の方向に移るに従って上向きに各々に傾斜する。
左右一対のＹ軸一方向摺動面Ｓｙ１は、Ｙ軸に沿って延びる長尺の面であっても良い。
例えば、左のＹ軸一方向摺動面Ｓｙ１は、Ｙ軸に沿って一方の方向に移るに従って上向きに傾斜する。
例えば、右のＹ軸一方向摺動面Ｓｙ１は、Ｙ軸に沿って一方の方向に移るに従って上向きに傾斜する。
【００３８】
左右一対のＹ軸一方向摺動面Ｓｙ１は、Ｙ軸に沿って共に一方の方向に移るに従って傾斜角θｙ１で上向きに各々に傾斜ししてもよい。
左右一対のＹ軸一方向摺動面Ｓｙ１は、Ｙ軸に沿って延びる長尺の面であっても良い。
例えば、左のＹ軸一方向摺動面Ｓｙ１は、Ｙ軸に沿って一方の方向に移るに従って傾斜角θｙ１で上向きに傾斜する。
例えば、右のＹ軸一方向摺動面Ｓｙ１は、Ｙ軸に沿って一方の方向に移るに従って傾斜角θｙ１で上向きに傾斜する。
【００３９】
左右一対のＹ軸逆方向摺動面Ｓｙ２は、Ｙ軸に沿って共に逆の方向に移るに従って上向きに各々に傾斜する。  
左右一対のＹ軸逆方向摺動面Ｓｙ２は、Ｙ軸に沿って延びる長尺の面であっても良い。
例えば、左のＹ軸逆方向摺動面Ｓｙ２は、Ｙ軸に沿って逆の方向に移るに従って上向きに傾斜する。
例えば、右のＹ軸逆方向摺動面Ｓｙ２は、Ｙ軸に沿って逆の方向に移るに従って上向きに傾斜する。  
【００４０】
左右一対のＹ軸逆方向摺動面Ｓｙ２は、Ｙ軸に沿って共に逆の方向に移るに従って傾斜角θｙ２で上向きに各々に傾斜してもよい。
例えば、左のＹ軸逆方向摺動面Ｓｙ２は、Ｙ軸に沿って逆の方向に移るに従って傾斜角θｙ２で上向きに傾斜する。
例えば、右のＹ軸逆方向摺動面Ｓｙ２は、Ｙ軸に沿って逆の方向に移るに従って傾斜角θｙ２で上向きに傾斜する。  
【００４１】
視線をＸ軸に沿って見て、左右一対のＹ軸一方向摺動面と左右一対のＹ軸逆方向摺動面とが交差してもよい。
【００４２】
傾斜角θｙ１、傾斜角θｙ２は、Ｙ軸摺動面の摩擦角より小さい。
傾斜角θｙ１と傾斜角θｙ２とは、等しくてもよい。
【００４３】
以下に上部案内部材１００、下部案内部材２００、中間案内部材３００の構造を説明する。
【００４４】
上部案内部材１００は、左右一対の上部Ｘ軸一方向摺動部材１１１ａ、１１１ｂと、左右一対の上部Ｘ軸逆方向摺動部材１１２ａ、１１２ｂとで構成される。
上部案内部材１００は、左右一対の上部Ｘ軸一方向摺動部材１１１ａ、１１１ｂと、左右一対の上部Ｘ軸逆方向摺動部材１１２ａ、１１２ｂと上部案内基礎部材１３０とで構成されてもよい。
図３、図１４、図２５は、上部案内部材１００が２組の上部Ｘ軸摺動部材１１０と上部案内基礎部材１３０とで構成され、２組の上部Ｘ軸摺動部材１１０が左右一対の上部Ｘ軸一方向摺動部材１１１ａ、１１１ｂと、左右一対の上部Ｘ軸逆方向摺動部材１１２ａ、１１２ｂとで各々に構成される様子を示す。
【００４５】
左右一対の上部Ｘ軸一方向摺動部材１１１ａ、１１１ｂは、左右一対の下向きのＸ軸一方向摺動面Ｓｘ１を各々に形成する。
例えば、左の上部Ｘ軸一方向摺動部材１１１ａは、左の下向きのＸ軸一方向摺動面Ｓｘ１を形成する。
例えば、右の上部Ｘ軸一方向摺動部材１１１ｂは、右の下向きのＸ軸一方向摺動面Ｓｘ１を形成する。
【００４６】
左右一対の上部Ｘ軸逆方向摺動部材１１２ａ、１１２ｂは、左右一対の下向きのＸ軸逆方向摺動面Ｓｘ２を各々に形成する。
例えば、左の上部Ｘ軸逆方向摺動部材１１２ａは、左の下向きのＸ軸逆方向摺動面Ｓｘ２を形成する。
例えば、右の上部Ｘ軸逆方向摺動部材１１２ｂは、左の下向きのＸ軸逆方向摺動面Ｓｘ２を形成する。
【００４７】
上部案内基礎部材１３０は、上部Ｘ軸摺動部材１１０を支持する構造部材である。
例えば、上部Ｘ軸摺動部材１１０は、上部案内基礎部材１３０の下部に固定される。
【００４８】
下部案内部材２００は、左右一対の下部Ｙ軸一方向摺動部材２１１ａ、２１１ｂと左右一対の下部Ｙ軸逆方向摺動部材２１２ａ、２１２ｂとで構成される。
下部案内部材２００は、左右一対の下部Ｙ軸一方向摺動部材２１１ａ、２１１ｂと左右一対の下部Ｙ軸逆方向摺動部材212ａ、２１２ｂと下部案内基礎部材２３０で構成されてもよい。
図６、図１７、図２８は、下部案内部材２００が下部Ｙ軸摺動部材２１０と下部案内基礎部材２３０で構成され、下部Ｙ軸摺動部材２１０が左右一対の下部Ｙ軸一方向摺動部材２１１ａ、２１１ｂと左右一対の下部Ｙ軸逆方向摺動部材212ａ、２１２ｂとで構成される様子を示す。
【００４９】
左右一対の下部Ｙ軸一方向摺動部材２１１ａ、２１１ｂは、左右一対の上向きのＹ軸一方向摺動面Ｓｙ１を形成する
左右一対の下部Ｙ軸逆方向摺動部材２１２ａ、２１２ｂは、左右一対の上向きのＹ軸逆方向摺動面Ｓｙ２を各々に形成する
【００５０】
下部案内基礎部材２３０は、下部Ｙ軸摺動部材２１０を支持する構造部材である。
例えば、下部Ｙ軸摺動部材２１０は、下部案内基礎部材２３０の上部に固定される。
【００５１】
中間案内部材３００が、左右一対の中間Ｘ軸一方向摺動部材３１１ａ、３１１ｂと左右一対の中間Ｘ軸逆方向摺動部材３１２ａ、３１２ｂとで構成されてもよい。
中間案内部材３００が、左右一対の中間Ｙ軸一方向摺動部材３２１ａ、３２１ｂと左右一対の中間Ｙ軸逆方向摺動部材３２２ａ、３２２ｂとで構成されてもよい。
中間案内部材３００が、左右一対の中間Ｘ軸一方向摺動部材３１１ａ、３１１ｂと左右一対の中間Ｘ軸逆方向摺動部材３１２ａ、３１２ｂと左右一対の中間Ｙ軸一方向摺動部材３２１ａ、３２１ｂと左右一対の中間Ｙ軸逆方向摺動部材３２２ａ、３２２ｂとで構成されてもよい。
中間案内部材３００が、左右一対の中間Ｘ軸一方向摺動部材３１１ａ、３１１ｂと左右一対の中間Ｘ軸逆方向摺動部材３１２ａ、３１２ｂと左右一対の中間Ｙ軸一方向摺動部材３２１ａ、３２１ｂと左右一対の中間Ｙ軸逆方向摺動部材３２２ａ、３２２ｂと中間案内基礎部材３３０とで構成されてもよい。
図４、図５、図１５、図２６、図２７は、中間案内部材３００が、中間Ｘ軸摺動部材３１０と中間Ｙ軸摺動部材３２０と中間案内基礎部材３３０とで構成され、中間Ｘ軸摺動部材３１０は左右一対の中間Ｘ軸一方向摺動部材３１１ａ、３１１ｂと左右一対の中間Ｘ軸逆方向摺動部材３１２ａ、３１２ｂとで各々に構成され、中間Ｙ軸摺動部材３２０は左右一対の中間Ｙ軸一方向摺動部材３２１ａ、３２１ｂと左右一対の中間Ｙ軸逆方向摺動部材３２２ａ、３２２ｂとで各々に構成される様子を示す。
【００５２】
左右一対の中間Ｘ軸一方向摺動部材３１１ａ、３１１ｂは、左右一対の上向きのＸ軸一方向摺動面Ｓｘ１を各々に形成する。
左右一対の中間Ｘ軸逆方向摺動部材２１２ａ、２１２ｂは、左右一対の上向きのＸ軸逆方向摺動面Ｓｘ２を各々に形成する。
左右一対の中間Ｙ軸一方向摺動部材３２１ａ、３２１ｂは、左右一対の下向きのＹ軸一方向摺動面Ｓｙ１を各々に形成する。
左右一対の中間Ｙ軸逆方向摺動部材３２２ａ、３２２ｂは、左右一対の下向きのＹ軸逆方向摺動面Ｓｙ２を各々に形成する。
【００５３】
中間案内基礎部材３３０は、中間Ｘ軸摺動部材３１０を支持する構造部材である。
中間案内基礎部材３３０は、中間Ｘ軸摺動部材３１０と中間Ｙ軸摺動部材３２０を支持する構造部材であるってもよい。
【００５４】
以下に、上部Ｘ軸摺動部材１１０と中間Ｙ軸摺動部材３２０との相対的配置、下部Ｙ軸摺動部材２１０と中間Ｘ軸摺動部材３１０との相対的配置について、説明する。
【００５５】
左右一対の上部Ｘ軸一方向摺動部材１１１ａ、１１１ｂと左右一対の上部Ｘ軸逆方向摺動部材１１２ａ、１１２ｂとがＹ軸に沿って間に隙間を設けられ、
左右一対の中間Ｘ軸一方向摺動部材３１１ａ、３１１ｂと左右一対の中間Ｘ軸逆方向摺動部材３１２ａ、３１２ｂとがＹ軸に沿って間に隙間を設けられてもよい。
【００５６】
左右一対の中間Ｙ軸一方向摺動部材３２１ａ、３２１ｂと左右一対の中間Ｙ軸逆方向摺動部材３２２ａ、３２２ｂとがＸ軸に沿って間に隙間を設けられ、
左右一対の下部Ｙ軸一方向摺動部材２１１ａ、２１１ｂと左右一対の下部Ｙ軸逆方向摺動部材２１２ａ、２１２ｂとがＸ軸に沿って間に隙間を設けられてもよい。
【００５７】
Ｘ軸方向に摺動する左右の摺動部材の少なくとも一方がＹ軸方向の少なくとも一方の方向の移動を拘束する。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って係合部Ｚ１が形成される。
どちらか他方の左右一対の摺動部材の左右の少なくともどちらか一方の摺動部材にＸ軸摺動面Ｓｘに沿って被係合部Ｚ２が形成される。
係合部Ｚ１が被係合部Ｚ２に係合して一方の左右一対の該摺動部材の左右の少なくともどちらか一方の摺動部材と他方の左右一対の該摺動部材の左右の少なくともどちらか一方の摺動部材とのＹ軸方向に沿った少なくとも一方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って係合部Ｚ１が形成される。
どちらか他方の左右一対の摺動部材の左右の少なくともどちらか一方の摺動部材がＸ軸摺動面Ｓｘに沿って被係合部Ｚ２を形成される。
係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った少なくとも一方の方向の相対移動を拘束できる。
【００５８】
左右のＸ軸方向に摺動する摺動部材の少なくとも一方がＹ軸方向の両方向の移動を拘束できてもよい。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って係合部Ｚ１が形成され、他方の左右一対の摺動部材の左右の少なくともどちらか一方の摺動部材にＸ軸摺動面Ｓｘに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って係合部Ｚ１が形成され、他方の左右一対の摺動部材の左右の少なくともどちらか一方の摺動部材にＸ軸摺動面Ｓｘに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束できる。
【００５９】
左右のＸ軸方向に摺動する摺動部材の両方がＹ軸両方向の両方向の移動を拘束できてもよい。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材にＸ軸摺動面Ｓｘに沿って係合部Ｚ１が形成され、他方の左右一対の摺動部材にＸ軸摺動面Ｓｘに沿って被係合部Ｚ２が形成され、係合部Ｚ１が被係合部Ｚ２に係合して一方の左右一対の摺動部材と他方の左右一対の摺動部材とのＹ軸方向に沿った両方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材にＸ軸摺動面Ｓｘに沿って係合部Ｚ１が形成され、他方の左右一対の摺動部材にＸ軸摺動面Ｓｘに沿って被係合部Ｚ２が形成され、係合部Ｚ１が被係合部Ｚ２に係合して一方の左右一対の摺動部材と他方の左右一対の摺動部材とのＹ軸方向に沿った両方の方向の相対移動を拘束できる。
【００６０】
左右のＸ軸方向に摺動する摺動部材の一方がＹ軸の一方方向を拘束でき、左右の摺動部材の他方がＹ軸の他方方向を拘束できてもよい。
例えば、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの一方の摺動部材にＸ軸摺動面Ｓｘに沿って係合部Ｚ１が形成され、他方の左右一対の摺動部材の左右のうちの一方の摺動部材にＸ軸摺動面Ｓｘに沿って被係合部Ｚ２が形成され、係合部Ｚ１が被係合部Ｚ２に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束できる、
例えば、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの他方の摺動部材にＸ軸摺動面Ｓｘに沿って係合部Ｚ１が形成され、他方の左右一対の摺動部材の左右のうちの他方の摺動部材にＸ軸摺動面Ｓｘに沿って被係合部Ｚ２が形成され、係合部Ｚ１が被係合部Ｚ２に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束できる、
例えば、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの一方の摺動部材にＸ軸摺動面Ｓｘに沿って係合部Ｚ１が形成され、他方の左右一対の摺動部材の左右のうちの一方の摺動部材にＸ軸摺動面Ｓｘに沿って被係合部Ｚ２が形成され、係合部Ｚ１が被係合部Ｚ２に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束できる。
例えば、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの他方の摺動部材にＸ軸摺動面Ｓｘに沿って係合部Ｚ１が形成され、他方の左右一対の摺動部材の左右のうちの他方の摺動部材にＸ軸摺動面Ｓｘに沿って被係合部Ｚ２が形成され、係合部Ｚ１が被係合部Ｚ２に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束できる。
【００６１】
Ｘ、Ｙ軸方向に摺動する左右の摺動部材の少なくとも一方がＸ、Ｙ軸方向の少なくとも一方の方向の移動を拘束する。
例えば、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右の少なくともどちらか一方の摺動部材にＹ軸摺動面Ｓｙに沿って被係合部Ｚ２が形成され、どちらか他方の左右一対の摺動部材の左右の少なくともどちらか一方の摺動部材にＹ軸摺動面Ｓｙに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った少なくともどちらか一方の方向の相対移動を拘束できる。
例えば、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右の少なくともどちらか一方の摺動部材にＹ軸摺動面Ｓｙに沿って被係合部Ｚ２が形成され、他方の左右一対の摺動部材の左右の少なくともどちらか一方の摺動部材にＹ軸摺動面Ｓｙに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った少なくともどちらか一方の方向の相対移動を拘束できる。
【００６２】
Ｙ軸方向に摺動する左右の摺動部材の少なくとも一方にＹ軸方向の両方向の移動を拘束できてもよい。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右の少なくともどちらか一方の摺動部材にＹ軸摺動面Ｓｙに沿って係合部Ｚ１が形成され、他方の左右一対の摺動部材の左右の少なくともどちらか一方の摺動部材にＹ軸摺動面Ｓｙに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った両方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右の少なくともどちらか一方の摺動部材にＹ軸摺動面Ｓｙに沿って係合部Ｚ１が形成され、他方の左右一対の摺動部材の左右の少なくともどちらか一方の摺動部材にＹ軸摺動面Ｓｙに沿って被係合部Ｚ２が形成され、係合部Ｚ１が被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った両方の方向の相対移動を拘束できる。
【００６３】
左右のＹ軸方向に摺動する摺動部材の両方がＹ軸両方向の両方向の移動を拘束できてもよい。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材にＹ軸摺動面Ｓｙに沿って係合部Ｚ１が形成され、他方の左右一対の摺動部材にＹ軸摺動面Ｓｙに沿って被係合部Ｚ２が形成され、係合部Ｚ１が被係合部Ｚ２に係合して一方の左右一対の摺動部材と他方の左右一対の摺動部材とのＸ軸方向に沿った両方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材にＹ軸摺動面Ｓｙに沿って係合部Ｚ１が形成され、他方の左右一対の摺動部材にＹ軸摺動面Ｓｙに沿って被係合部Ｚ２が形成され、係合部Ｚ１が被係合部Ｚ２に係合して一方の左右一対の摺動部材と他方の左右一対の摺動部材とのＸ軸方向に沿った両方の方向の相対移動を拘束できる。
【００６４】
左右のＸ、Ｙ軸方向に摺動する摺動部材の一方がＹ、Ｘ軸の一方方向を拘束でき、左右の摺動部材の他方がＹ、Ｘ軸の他方方向を拘束できてもよい。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右のうちの一方の摺動部材にＹ軸摺動面Ｓｙに沿って係合部Ｚ１が形成され、他方の左右一対の摺動部材の左右のうちの一方の摺動部材にＹ軸摺動面Ｓｙに沿って被係合部Ｚ２が形成され、係合部Ｚ１が被係合部Ｚ２に係合して一方の左右一対の摺動部材の左右のうちの一方の摺動部材と他の左右一対の摺動部材の左右のうちの一方の摺動部材とのＸ軸方向に沿った方向のうちの一方の方向の相対移動を拘束できる。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右のうちの他方の摺動部材にＹ軸摺動面Ｓｙに沿って係合部Ｚ１が形成され、他方の左右一対の摺動部材の左右のうちの他方の摺動部材にＹ軸摺動面Ｓｙに沿って被係合部Ｚ２が形成され、係合部Ｚ１が被係合部Ｚ２に係合して一方の左右一対の摺動部材の左右のうちの他方の摺動部材と他方の左右一対の摺動部材の左右のうちの他方の摺動部材とのＸ軸方向に沿った方向のうちの他方の方向の相対移動を拘束できる。
例えば、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右のうちの一方の摺動部材にＹ軸摺動面Ｓｙに沿って係合部Ｚ１が形成され、他方の左右一対の摺動部材の左右のうちの一方の摺動部材にＹ軸摺動面Ｓｙに沿って被係合部Ｚ２が形成され、係合部Ｚ１が被係合部Ｚ２に係合して一方の左右一対の摺動部材の左右のうちの一方の摺動部材と他方の左右一対の摺動部材の左右のうちの一方の摺動部材とのＸ軸方向に沿った方向のうちの一方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右のうちの他方の摺動部材にＹ軸摺動面Ｓｙに沿って係合部Ｚ１が形成され、他方の左右一対の摺動部材の左右のうちの他方の摺動部材にＹ軸摺動面Ｓｙに沿って被係合部Ｚ２が形成され、係合部Ｚ１が被係合部Ｚ２に係合して一方の左右一対の摺動部材の左右のうちの他方の摺動部材と他方の左右一対の摺動部材の左右のうちの他方の摺動部材とのＸ軸方向に沿った方向のうちの他方の方向の相対移動を拘束できる。
【００６５】
以下に、係合部Ｚ１と被係合部Ｚ２の係合の関係を、図を基に、説明する。
【００６６】
係合部Ｚ１が摺動方向に交差する向きに互いに傾斜する左右一対の摺動面の交差する箇所に形成され摺動面に沿って摺動方向に延びる峰状の部分であり、被係合部Ｚ２が摺動方向に交差する向きに互いに傾斜する左右一対の摺動面の交差する箇所に形成され摺動面に沿って摺動方向に延びる谷状の部分であってもよい。
係合部Ｚ１が摺動方向に交差する向きに互いに傾斜する角度は、摺動面の摩擦角より大きい。
被係合部Ｚ２が摺動方向に交差する向きに互いに傾斜する角度は、摺動面の摩擦角より大きい。
係合部Ｚ１の峰状の部分と被係合部Ｚ２の谷状の部分が当接して係合部が被係合部Ｚ２に係合する。
図３４（Ａ）は、上下に重なる摺動部材の一方に形成される峰状の部分をもつ係合部Ｚ１と摺動部材の他方に形成される谷状の部分をもつ被係合部Ｚ２とが当接して、係合部Ｚ１が被係合部Ｚ２に係合する様子を示す。
【００６７】
係合部Ｚ１が摺動方向に交差する水平方向の一方の方向に面を向け摺動面に沿って摺動方向に延びる壁状の部分であり、被係合部Ｚ２が摺動方向に交差する水平方向の他方の方向に面を向け摺動面に沿って摺動方向に延びる壁状の部分であってもよい。
係合部Ｚ１の壁状の部分と被係合部Ｚ２の壁状の部分とが当接して係合部Ｚ１が被係合部Ｚ２に係合する。
図３４（Ｂ）（Ｃ）は、上下に重なる摺動部材の一方に形成された壁状の部分を持つ係合部Ｚ１と摺動部材の他方に形成された被係合部Ｚ２の壁状の部分が当接して、係合部Ｚ１が被係合部Ｚ２に係合する様子を示す。
【００６８】
係合部Ｚ１が摺動方向に交差する水平方向に沿って一対の面を外側へ向け摺動面に沿って摺動方向に延びる一対の壁状の部分であり、被係合部Ｚ２が摺動方向に交差する水平方向に沿って一対の面を内側に向け摺動面に沿って摺動方向に延びる一対の壁状の部分でありってもよい。
係合部Ｚ１の一対の壁状の部分と被係合部Ｚ２の一対の壁状の部分とが当接して係合部Ｚ１が被係合部Ｚ２に係合する、
図３４（Ｄ）（Ｅ）が、上下に重なる摺動部材の一方に形成された一対の壁状の部分を持つ係合部Ｚ１と摺動部材の他方に形成された被係合部Ｚ２の一対の壁状の部分が当接して、係合部Ｚ１が被係合部Ｚ２に係合する様子を示す。
【００６９】
係合部Ｚ１が摺動方向に交差する方向に沿って上下方向に湾曲する摺動面に沿って摺動方向に延びる凸状の部分であり、被係合部Ｚ２が摺動方向に交差する方向に沿って上下方向に湾曲する摺動面に沿って摺動方向に延びる凹状の部分であっても良い。
係合部Ｚ１の凸状の部分と被係合部Ｚ２の凹状の部分とが当接して係合部Ｚ１が被係合部Ｚ２に係合する。
図３４（Ｆ）は、上下に重なる摺動部材の一方に形成された凸状の部分を持つ係合部Ｚ１と摺動部材の他方に形成された被係合部Ｚ２の凹状の部分が当接して、係合部Ｚ１が被係合部Ｚ２に係合する様子を示す。
【００７０】
以下に、本発明の実施形態にかかる構造物支持構造の作用を、図を基に、説明する。
図２、図１３、図２４は、地震が発生したときの本発明の実施形態にかかる構造物支持構造の作用を図示する。
図７、図１８、図３２は、地震が発生していない状態を示す。
図１０、図１１、図２１、図２２、図２９、図３０は、地震が発生したときに下向きのＸ軸摺動面Ｓｘと上向きのＸ軸摺動面Ｓｘが摺動して、Ｘ軸に沿って相対移動する様子を示す。
【００７１】
上部Ｘ軸一方向摺動部材１１１ａ、１１１ｂに形成される下向きのＸ軸一方向摺動面Ｓｘ１と中間Ｘ軸一方向摺動部材３１１ａ、３１１ｂに形成される上向きのＸ軸一方向摺動面Ｓｘ１とが接触し、上部Ｘ軸逆方向摺動部材１１２ａ、１１１ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが接触している。
説明の便宜上、このときの上部案内部材１００が中間案内部材３００に対する位置を中立位置と呼称する。
地震が発生すると、水平加速度が構造物に生じて、構造物が基礎に対して相対的に水平移動する。
上部案内部材１００が中間案内部材３００に対して中立位置からＸ軸の正方向（一方向に相当する）に相対移動すると、上部Ｘ軸逆方向摺動部材１１２ａ、１１２ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２との間に隙間が生じ、上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１とが摺動してＸ軸に沿って相対移動する。
上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１とが摺動してＸ軸に沿って相対移動すると、重力により上部案内部材１００が中間案内部材３００に対して中立位置に戻ろうとする復元力が生ずる。
上部案内部材１００が中間案内部材３００に対して中立位置からＸ軸の負方向（逆方向に相当する）に相対移動すると、上部Ｘ軸一方向摺動部材１１１ａに形成される下向きのＸ軸一方向摺動面Ｓｘ１と中間Ｘ軸一方向摺動部材３１１ａに形成される上向きのＸ軸一方向摺動面Ｓｘ１との間に隙間が生じて、上部Ｘ軸逆方向摺動部材１１２ａ、１１２ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが摺動してＸ軸に沿って相対移動する。
上部Ｘ軸逆方向摺動部材１１２ａ、１１２ｂに形成されるＸ軸逆方向摺動面Ｓｘ２と中間Ｘ軸逆方向摺動部材３１２ａ、３１２ｂに形成される上向きのＸ軸逆方向摺動面Ｓｘ２とが摺動してＸ軸に沿って相対移動すると、重力により上部案内部材１００が中間案内部材３００に対して中立位置に戻ろうとする復元力が生ずる。
このときに、左右一対のＸ軸一方向摺動面Ｓｘ１と左右一対のＸ軸逆方向摺動面Ｓｘ２とは、Ｙ軸に沿って互いの反対方向に各々に傾斜しているので、上部案内部材１００は中間案内部材３００に対して中立位置からＹ軸の沿った方向に相対移動しない。
【００７２】
以下に、本発明の複数の実施形態にかかる構造体支持構造を、説明する。
最初に、本発明の第一の実施形態に係る構造体支持構造を、図を基に、説明する。
図１は、本発明の第一の実施形態に係る構造体支持構造の斜視図である。図２は、本発明の第一の実施形態に係る構造体支持構造の作用説明図その１である。図３は、本発明の第一の実施形態に係る構造体支持構造の部分斜視図その１である。図４は、本発明の第一の実施形態に係る構造体支持構造の部分斜視図その２である。図５は、本発明の第一の実施形態に係る構造体支持構造の部分斜視図その３である。図６は、本発明の第一の実施形態に係る構造体支持構造の部分斜視図その４である。図７は、本発明の第一の実施形態に係る構造体支持構造の側面図である。図８は、本発明の第一の実施形態に係る構造体支持構造の部分平面図その１である。図９は、本発明の第一の実施形態に係る構造体支持構造の部分平面図その２である。図１０は、本発明の第一の実施形態に係る摺動部材の部分側面図その１である。図１１は、本発明の第一の実施形態に係る摺動部材の部分側面図その１である。
【００７３】
本発明の第一の実施形態に係る構造体支持構造の摺動部材に形成される係合部Ｚ１、被係合部Ｚ２を除く構造は前述したものと同じである。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのうち、左右一対の上部Ｘ軸一方向摺動部材１１１ａ、１１１ｂがＸ軸摺動面Ｓｘに沿って係合部Ｚ１を形成され、左右一対の中間Ｘ軸一方向摺動部材３１１ａ、３１１ｂがＸ軸摺動面Ｓｘに沿って被係合部Ｚ２を形成され、係合部Ｚ１の峰状の部分が被係合部Ｚ２の山状の部分に係合して左右一対の上部Ｘ軸一方向摺動部材１１１ａ、１１１ｂと左右一対の中間Ｘ軸一方向摺動部材３１１ａ、３１１ｂとのＹ軸方向に沿った両方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのうち、左右一対の上部Ｘ軸逆方向摺動部材１１２ａ、１１２ｂがＸ軸摺動面Ｓｘに沿って係合部Ｚ１を形成され、左右一対の中間Ｘ軸逆方向摺動部材３１２ａ、３１２ｂがＸ軸摺動面Ｓｘに沿って被係合部Ｚ２を形成され、係合部Ｚ１の峰状の部分が被係合部Ｚ２の谷状の部分に係合して左右一対の上部Ｘ軸逆方向摺動部材１１２ａ、１１２ｂと左右一対の中間Ｘ軸逆方向摺動部材３１２ａ、３１２ｂのＹ軸方向に沿った両方の方向の相対移動を拘束できる。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのうち、左右一対の中間Ｙ軸一方向摺動部材３２１ａ、３２１ｂがＹ軸摺動面Ｓｙに沿って係合部Ｚ１を形成され、左右一対の下部Ｙ軸一方向摺動部材２１１ａ、２１１ｂがＹ軸摺動面Ｓｙに沿って被係合部Ｚ２を形成され、係合部Ｚ１の峰状の部分が被係合部Ｚ２の谷状の部分に係合して左右一対の中間Ｙ軸一方向摺動部材３２１ａ、３２１ｂと左右一対の下部Ｙ軸一方向摺動部材２１１ａ、２１１ｂとのＸ軸方向に沿った両方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのうち、左右一対の中間Ｙ軸一方向摺動部材３２２ａ、３２２ｂがＹ軸摺動面Ｓｙに沿って係合部Ｚ１を形成され、左右一対の下部Ｙ軸逆方向摺動部材２１２ａ、２１２ｂがＹ軸摺動面Ｓｙに沿って被係合部Ｚ２を形成され、係合部Ｚ１の峰状の部分が被係合部Ｚ２の谷状の部分に係合し左右一対の中間Ｙ軸一方向摺動部材３２２ａ、３２２ｂと左右一対の下部Ｙ軸逆方向摺動部材２１２ａ、２１２ｂとのＸ軸方向に沿った両方の方向の相対移動を拘束できる。
【００７４】
最初に、本発明の第二の実施形態に係る構造体支持構造を、図を基に、説明する。
図１２は、本発明の第二の実施形態に係る構造体支持構造の斜視図である。図１３は、本発明の第二の実施形態に係る構造体支持構造の作用説明図その１である。図１４は、本発明の第二の実施形態に係る構造体支持構造の部分斜視図その１である。図１５は、本発明の第二の実施形態に係る構造体支持構造の部分斜視図その２である。図１６は、本発明の第二の実施形態に係る構造体支持構造の部分斜視図その３である。図１７は、本発明の第二の実施形態に係る構造体支持構造の部分斜視図その４である。図１８は、本発明の第二の実施形態に係る構造体支持構造の側面図である。図１９は、本発明の第二の実施形態に係る構造体支持構造の部分平面図その１である。図２０は、本発明の第二の実施形態に係る構造体支持構造の部分平面図その２である。図２１は、本発明の第二の実施形態に係る摺動部材の部分側面図その１である。図２２は、本発明の第二の実施形態に係る摺動部材の部分側面図その１である。
【００７５】
本発明の第二の実施形態に係る構造体支持構造の摺動部材に形成される係合部Ｚ１、被係合部Ｚ２を除く構造は前述したものと同じである。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのうち、左右一対の上部Ｘ軸一方向摺動部材１１１ａ、１１１ｂがＸ軸摺動面Ｓｘに沿って係合部Ｚ１を形成され、左右一対の中間Ｘ軸一方向摺動部材３１１ａ、３１１ｂがＸ軸摺動面Ｓｘに沿って被係合部Ｚ２を形成され、係合部Ｚ１の一対の面を外側に向ける一対の壁状の部分が被係合部Ｚ２の一対の面を内側に向ける一対の壁状の部分に係合して左右一対の上部Ｘ軸一方向摺動部材１１１ａ、１１１ｂと左右一対の中間Ｘ軸一方向摺動部材３１１ａ、３１１ｂとのＹ軸方向に沿った両方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのうち、左右一対の上部Ｘ軸逆方向摺動部材１１２ａ、１１２ｂがＸ軸摺動面Ｓｘに沿って係合部Ｚ１を形成され、左右一対の中間Ｘ軸逆方向摺動部材３１２ａ、３１２ｂがＸ軸摺動面Ｓｘに沿って被係合部Ｚ２を形成され、係合部Ｚ１の一対の面を外側に向ける一対の壁状の部分が被係合部Ｚ２の一対の面を内側に向ける一対の壁状の部分に係合して左右一対の上部Ｘ軸逆方向摺動部材１１２ａ、１１２ｂと左右一対の中間Ｘ軸逆方向摺動部材３１２ａ、３１２ｂのＹ軸方向に沿った両方の方向の相対移動を拘束できる。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのうち、左右一対の中間Ｙ軸一方向摺動部材３２１ａ、３２１ｂがＹ軸摺動面Ｓｙに沿って係合部Ｚ１を形成され、左右一対の下部Ｙ軸一方向摺動部材２１１ａ、２１１ｂがＹ軸摺動面Ｓｙに沿って被係合部Ｚ２を形成され、係合部Ｚ１の一対の面を外側に向ける一対の壁状の部分が被係合部Ｚ２の一対の面を内側に向ける一対の壁状の部分に係合して左右一対の中間Ｙ軸一方向摺動部材３２１ａ、３２１ｂと左右一対の下部Ｙ軸一方向摺動部材２１１ａ、２１１ｂとのＸ軸方向に沿った両方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのうち、左右一対の中間Ｙ軸逆方向摺動部材がＹ軸摺動面Ｓｙに沿って係合部Ｚ１を形成され、左右一対の下部Ｙ軸逆方向摺動部材２１２ａ、２１２ｂがＹ軸摺動面Ｓｙに沿って被係合部Ｚ２を形成され、係合部Ｚ１の一対の面を外側に向ける一対の壁状の部分が被係合部Ｚ２の一対の面を内側に向ける一対の壁状の部分に係合し左右一対の中間Ｙ軸一方向摺動部材３２２ａ、３２２ｂと左右一対の下部Ｙ軸逆方向摺動部材２１２ａ、２１２ｂとのＸ軸方向に沿った両方の方向の相対移動を拘束できる。
【００７６】
最初に、本発明の第三の実施形態に係る構造体支持構造を、図を基に、説明する。
図２３は、本発明の第三の実施形態に係る構造体支持構造の斜視図である。図２４は、本発明の第三の実施形態に係る構造体支持構造の作用説明図その１である。図２５は、本発明の第三の実施形態に係る構造体支持構造の部分斜視図その１である。図２６は、本発明の第三の実施形態に係る構造体支持構造の部分斜視図その２である。図２７は、本発明の第三の実施形態に係る構造体支持構造の部分斜視図その３である。図２８は、本発明の第三の実施形態に係る構造体支持構造の部分斜視図その４である。図２９は、本発明の第三の実施形態に係る構造体支持構造の側面図である。図３０は、本発明の第三の実施形態に係る構造体支持構造の部分平面図その１である。図３１は、本発明の第三の実施形態に係る構造体支持構造の部分平面図その２である。図３２は、本発明の第三の実施形態に係る摺動部材の部分側面図その１である。図３３は、本発明の第三の実施形態に係る摺動部材の部分側面図その１である。
【００７７】
Ｘ軸方向に摺動する左右の摺動部材の一方がＹ軸の一方方向を拘束でき、左右の摺動部材の他方がＹ軸の他方方向を拘束でき、Ｙ軸方向に摺動する左右の摺動部材の一方がＸ軸の一方方向を拘束でき、左右の摺動部材の他方がＸ軸の他方方向を拘束できる。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのうちで、左の上部Ｘ軸一方向摺動部材１１１ｂにＸ軸摺動面Ｓｘに沿って係合部Ｚ１が形成され、
左の中間Ｘ軸一方向摺動部材３１１ｂにＸ軸摺動面Ｓｘに沿って被係合部Ｚ２が形成され、係合部Ｚ１のＹ軸方向の一方の方向に面を向ける壁状の部分が被係合部Ｚ２のＹ軸方向の他方の方向に面を向ける壁状の部分に当接して、左の上部Ｘ軸一方向摺動部材１１１ｂと左の中間Ｘ軸一方向摺動部材３１１ｂとのＹ軸方向に沿った一方の方向の相対移動を拘束できる。
上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのうちで、右の上部Ｘ軸一方向摺動部材１１１ａにＸ軸摺動面Ｓｘに沿って係合部Ｚ１が形成され、右の中間Ｘ軸一方向摺動部材３１１ａにＸ軸摺動面Ｓｘに沿って被係合部Ｚ２が形成され、係合部Ｚ１のＹ軸方向の他方の方向に面を向ける壁状の部分が被係合部Ｚ２のＹ軸方向の一方の方向に面を向ける壁状の部分に当接して、左の上部Ｘ軸一方向摺動部材１１１ａと左の中間Ｘ軸一方向摺動部材３１１ａとのＹ軸方向に沿った他方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのうちで、左の上部Ｘ軸逆方向摺動部材１１２ｂにＸ軸摺動面Ｓｘに沿って係合部Ｚ１が形成され、左の中間Ｘ軸逆方向摺動部材３１２ｂにＸ軸摺動面Ｓｘに沿って被係合部Ｚ２が形成され、係合部Ｚ１のＹ軸方向の一方の方向に面を向ける壁状の部分が被係合部Ｚ２のＹ軸方向の他方の方向に面を向ける壁状の部分に当接して、左の上部Ｘ軸一方向摺動部材１１１ｂと左の中間Ｘ軸一方向摺動部材３１１ｂとのＹ軸方向に沿った一方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのうちで、右の上部Ｘ軸逆方向摺動部材１１２ａにＸ軸摺動面Ｓｘに沿って係合部Ｚ１が形成され、右の中間Ｘ軸逆方向摺動部材３１２ａにＸ軸摺動面Ｓｘに沿って被係合部Ｚ２が形成され、係合部Ｚ１のＹ軸方向の他方の方向に面を向ける壁状の部分が被係合部Ｚ２のＹ軸方向の一方の方向に面を向ける壁状の部分に当接して、左の上部Ｘ軸一方向摺動部材１１１ｂと左の中間Ｘ軸一方向摺動部材３１１ｂとのＹ軸方向に沿った他方の方向の相対移動を拘束できる。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのうちで、左の前中間Ｙ軸一方向摺動部材３２１ｂにＹ軸摺動面Ｓｙに沿って係合部Ｚ１が形成され、左の下部Ｙ軸一方向摺動部材２１１ｂにＹ軸摺動面Ｓｙに沿って被係合部Ｚ２が形成され、係合部Ｚ１のＸ軸方向の一方の方向に面を向ける壁状の部分が被係合部Ｚ２のＸ軸方向の他方の方向に面を向ける壁状の部分に当接して、左の中間Ｙ軸一方向摺動部材３２１ｂと左の下部Ｙ軸一方向摺動部材２１１ｂとのＸ軸方向に沿った一方の方向の相対移動を拘束できる。
上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのうちで、右の前中間Ｙ軸一方向摺動部材３２１ａにＹ軸摺動面Ｓｙに沿って係合部Ｚ１が形成され、右の下部Ｙ軸一方向摺動部材２１１ｂにＹ軸摺動面Ｓｙに沿って被係合部Ｚ２が形成され、係合部Ｚ１のＸ軸方向の一方の方向に面を向ける壁状の部分が被係合部Ｚ２のＸ軸方向の他方の方向に面を向ける壁状の部分に当接して、右の中間Ｙ軸一方向摺動部材３２１ａと右の下部Ｙ軸一方向摺動部材２１１ａとのＸ軸方向に沿った他方の方向の相対移動を拘束できる。
上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのうちで、左の中間Ｙ軸逆方向摺動部材３２２ｂにＹ軸摺動面Ｓｙに沿って係合部Ｚ１が形成され、左の下部Ｙ軸逆方向摺動部材２１２ｂにＹ軸摺動面Ｓｙに沿って被係合部Ｚ２が形成され、係合部Ｚ１のＸ軸方向の一方の方向に面を向ける壁状の部分が被係合部Ｚ２のＸ軸方向の他方の方向に面を向ける壁状の部分に当接して、左の中間Ｙ軸逆方向摺動部材３２２ｂと左の下部Ｙ軸逆方向摺動部材２１２ｂとのＸ軸方向に沿った一方の方向の相対移動を拘束できる。
上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのうちで、右の中間Ｙ軸逆方向摺動部材３２２ａにＹ軸摺動面Ｓｙに沿って係合部Ｚ１が形成され、右の下部Ｙ軸逆方向摺動部材２１２ａにＹ軸摺動面Ｓｙに沿って被係合部Ｚ２が形成され、係合部Ｚ１のＸ軸方向の一方の方向に面を向ける壁状の部分が被係合部Ｚ２のＸ軸方向の他方の方向に面を向ける壁状の部分に当接して、右の中間Ｙ軸逆方向摺動部材３２２ａと右の下部Ｙ軸逆方向摺動部材２１２ａとのＸ軸方向に沿った他方の方向の相対移動を拘束できる。
【００７８】
上述のとおり、本発明の実施実施形態に係る構造体支持構造を用いれば、以下の効果を有する。
構造体に固定される上部案内部材が左右一対の下向きのＸ軸一方向摺動面を形成する左右一対の上部Ｘ軸一方向摺動部材１１１ａ、１１１ｂと左右一対の下向きのＸ軸面逆方向摺動面を各々に形成する左右一対の上部Ｘ軸逆方向摺動部材１１２ａ、１１２ｂとを有し、基礎に指示される中間案内部材が左右一対の上向きのＸ軸一方向摺動面を各々に形成する左右一対の中間Ｘ軸一方向摺動部材３１１ａ、３１１ｂと左右一対の上向きのＸ軸逆方向摺動面を各々に形成する左右一対の中間Ｘ軸逆方向摺動部材３１２ａ、３１２ｂとを有し、左右一対のＸ軸一方向摺動面はＸ軸に沿って共に一方の方向に移るに従って上向きに各々に傾斜し、左右一対のＸ軸逆方向摺動面はＸ軸に沿って共に逆の方向に移るに従って上向きに各々に傾斜し、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の該摺動部材の左右の少なくともどちらか一方の摺動部材と他方の左右一対の該摺動部材の左右の少なくともどちらか一方の摺動部材とのＹ軸方向に沿った少なくとも一方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材がＸ軸摺動面Ｓｘ沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った少なくとも一方の方向の相対移動を拘束できる様にしたので、構造体が、Ｙ軸に沿った一方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束できる様にしたので構造体が、Ｙ軸に沿った両方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材にＸ軸摺動面Ｓｘに沿って形成される係合部Ｚ１が他方の左右一対の摺動部材にＸ軸摺動面Ｓｘに沿って形成される被係合部Ｚ２に係合して一方の左右一対の摺動部材と他方の左右一対の摺動部材とのＹ軸方向に沿った両方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材にＸ軸摺動面Ｓｘに沿って形成される係合部Ｚ１が他方の左右一対の摺動部材にＸ軸摺動面Ｓｘに沿って形成される被係合部Ｚ２に係合して一方の左右一対の摺動部材と他方の左右一対の摺動部材とのＹ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿って安定して移動できる。
また、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの一方の摺動部材にＸ軸摺動面Ｓｘに沿って形成される係合部Ｚ１が他方の左右一対の摺動部材の左右のうちの一方の摺動部材にＸ軸摺動面Ｓｘに沿って形成される被係合部Ｚ２に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束でき、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの他方の摺動部材にＸ軸摺動面Ｓｘに沿って形成される係合部Ｚ１が他方の左右一対の摺動部材の左右のうちの他方の摺動部材にＸ軸摺動面Ｓｘに沿って形成される被係合部Ｚ２に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの一方の摺動部材にＸ軸摺動面Ｓｘに沿って形成される係合部Ｚ１が他方の左右一対の摺動部材の左右のうちの一方の摺動部材にＸ軸摺動面Ｓｘに沿って形成される被係合部Ｚ２に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの他方の摺動部材にＸ軸摺動面Ｓｘに沿って形成される係合部Ｚ１が他方の左右一対の摺動部材の左右のうちの他方の摺動部材にＸ軸摺動面Ｓｘに沿って形成される被係合部Ｚ２に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿って安定して移動できる。
また、左右一対の上部Ｘ軸一方向摺動部材１１１ａ、１１１ｂがＹ軸に沿って間に隙間を設けられ、左右一対の上部Ｘ軸逆方向摺動部材１１２ａ、１１２ｂがＹ軸に沿って間に隙間を設けられ、左右一対の中間Ｘ軸一方向摺動部材３１１ａ、３１１ｂがＹ軸に沿って間に隙間を設けられ、左右一対の中間Ｘ軸逆方向摺動部材３１２ａ、３１２ｂがＹ軸に沿って間に隙間を設けられる様にしたので、構造体に作用する転倒モーメントを左右一対の摺動部材で支持できる。
また、構造体に固定される上部案内部材が左右一対の下向きのＸ軸一方向摺動面を形成する左右一対の上部Ｘ軸一方向摺動部材１１１ａ、１１１ｂと左右一対の下向きのＸ軸面逆方向摺動面を各々に形成する左右一対の上部Ｘ軸逆方向摺動部材１１２ａ、１１２ｂとを有し、基礎に支持される上部案内部材の下に位置する下部案内部材が左右一対の下向きのＹ軸一方向摺動面を形成する左右一対の下部Ｙ軸一方向摺動部材２１１ａ、２１１ｂと左右一対の下向きのＹ軸面逆方向摺動面を各々に形成する左右一対の下部Ｙ軸逆方向摺動部材２１２ａ、２１２ｂとを有し、左右一対のＸ軸一方向摺動面はＸ軸に沿って共に一方の方向に移るに従って上向きに各々に傾斜し、左右一対のＸ軸逆方向摺動面はＸ軸に沿って共に逆の方向に移るに従って上向きに各々に傾斜し、左右一対のＹ軸一方向摺動面はＹ軸に沿って共に一方の方向に移るに従って上向きに各々に傾斜し、左右一対のＹ軸逆方向摺動面はＹ軸に沿って共に逆の方向に移るに従って上向きに各々に傾斜し、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った少なくともどちらか一方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った少なくともどちらか一方の方向の相対移動を拘束でき、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右の少なくともどちらか一方の摺動部材にＹ軸摺動面Ｓｙに沿って形成される係合部Ｚ１が他方の左右一対の摺動部材の左右の少なくともどちらか一方の摺動部材にＹ軸摺動面Ｓｙに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った少なくともどちらか一方の方向の相対移動を拘束でき、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右の少なくともどちらか一方の摺動部材にＹ軸摺動面Ｓｙに沿って形成される係合部Ｚ１が他方の左右一対の摺動部材の左右の少なくともどちらか一方の摺動部材にＹ軸摺動面Ｓｙに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った少なくともどちらか一方の方向の相対移動を拘束できる様にしたので、構造体が、Ｙ軸に沿った一方の向きの移動を抑制されつつＸ軸に沿って摺動する上部案内部材と中間案内部材を介して支持されて、Ｘ軸に沿った一方の向きの移動を抑制されつつＹ軸に沿って摺動する中間案内部材と下部案内部材とを介して支持されて、Ｘ軸とＹ軸とに沿って安定して移動できる。
また、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右の少なくともどちらか一方の摺動部材にＸ軸摺動面Ｓｘに沿って形成される係合部Ｚ１が他方の左右一対の摺動部材の左右の少なくともどちらか一方の摺動部材にＸ軸摺動面Ｓｘに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＹ軸方向に沿った両方の方向の相対移動を拘束でき、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右の少なくともどちらか一方の摺動部材にＹ軸摺動面Ｓｙに沿って形成される係合部Ｚ１が他方の左右一対の摺動部材の左右の少なくともどちらか一方の摺動部材にＹ軸摺動面Ｓｙに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った両方の方向の相対移動を拘束でき、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右の少なくともどちらか一方の摺動部材にＹ軸摺動面Ｓｙに沿って形成される係合部Ｚ１が他方の左右一対の摺動部材の左右の少なくともどちらか一方の摺動部材にＹ軸摺動面Ｓｙに沿って形成される被係合部Ｚ２に係合して一方の左右一対の摺動部材の左右の少なくともどちらか一方の摺動部材と他方の左右一対の摺動部材の左右の少なくともどちらか一方の摺動部材とのＸ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持され、Ｘ軸に沿った両方の向きの移動を抑制されつつＹ軸に沿って摺動する中間案内部材と下部案内部材とを介して支持され、Ｘ軸とＹ軸とに沿って安定して移動できる。
また、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材にＸ軸摺動面Ｓｘに沿って形成される係合部Ｚ１が他方の左右一対の摺動部材にＸ軸摺動面Ｓｘに沿って形成される被係合部Ｚ２に係合して一方の左右一対の摺動部材と他方の左右一対の摺動部材とのＹ軸方向に沿った両方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材にＸ軸摺動面Ｓｘに沿って形成される係合部Ｚ１が他方の左右一対の摺動部材にＸ軸摺動面Ｓｘに沿って形成される被係合部Ｚ２に係合して一方の左右一対の摺動部材と他方の左右一対の摺動部材とのＹ軸方向に沿った両方の方向の相対移動を拘束でき、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材にＹ軸摺動面Ｓｙに沿って形成される係合部Ｚ１が他方の左右一対の摺動部材にＹ軸摺動面Ｓｙに沿って形成される被係合部Ｚ２に係合して一方の左右一対の摺動部材と他方の左右一対の摺動部材とのＸ軸方向に沿った両方の方向の相対移動を拘束できる、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材にＹ軸摺動面Ｓｙに沿って形成される係合部Ｚ１が他方の左右一対の摺動部材にＹ軸摺動面Ｓｙに沿って形成される被係合部Ｚ２に係合して一方の左右一対の摺動部材と他方の左右一対の摺動部材とのＸ軸方向に沿った両方の方向の相対移動を拘束できる様にしたので、構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの一方の摺動部材にＸ軸摺動面Ｓｘに沿って形成される係合部Ｚ１が他方の左右一対の摺動部材の左右のうちの一方の摺動部材にＸ軸摺動面Ｓｘに沿って形成される被告係合部に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束でき、上下に重なりＸ軸方向に摺動できる左右一対の上部Ｘ軸一方向摺動部材１１１ａ、１１１ｂと左右一対の中間Ｘ軸一方向摺動部材３１１ａ、３１１ｂとのどちらか一方の左右一対の摺動部材の左右のうちの他方の摺動部材にＸ軸摺動面Ｓｘに沿って形成される係合部Ｚ１が他方の左右一対の摺動部材の左右のうちの他方の摺動部材にＸ軸摺動面Ｓｘに沿って形成される被係合部Ｚ２に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの一方の摺動部材にＸ軸摺動面Ｓｘに沿って形成される係合部Ｚ１が他方の左右一対の摺動部材の左右のうちの一方の摺動部材にＸ軸摺動面Ｓｘに沿って形成される被告係合部に係合して一方の左右一対の摺動部材の左右のうちの一方の摺動部材と他方の左右一対の摺動部材の左右のうちの一方の摺動部材とのＹ軸方向に沿った方向のうちの一方の方向の相対移動を拘束でき、上下に重なりＸ軸方向に摺動できる左右一対の上部Ｘ軸逆方向摺動部材１１２ａ、１１２ｂと左右一対の中間Ｘ軸逆方向摺動部材３１２ａ、３１２ｂとのどちらか一方の左右一対の摺動部材の左右のうちの他方の摺動部材にＸ軸摺動面Ｓｘに沿って形成される係合部Ｚ１が他方の左右一対の摺動部材の左右のうちの他方の摺動部材にＸ軸摺動面Ｓｘに沿って形成される被告係合部に係合して一方の左右一対の摺動部材の左右のうちの他方の摺動部材と他方の左右一対の摺動部材の左右のうちの他方の摺動部材とのＹ軸方向に沿った方向のうちの他方の方向の相対移動を拘束でき、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右のうちの一方の摺動部材にＹ軸摺動面Ｓｙに沿って形成される係合部Ｚ１が他方の左右一対の摺動部材の左右のうちの一方の摺動部材にＹ軸摺動面Ｓｙに沿って形成される被係合部Ｚ２に係合して一方の左右一対の摺動部材の左右のうちの一方の摺動部材と他の左右一対の摺動部材の左右のうちの一方の摺動部材とのＸ軸方向に沿った方向のうちの一方の方向の相対移動を拘束でき、上下に重なりＹ軸方向に摺動できる左右一対の中間Ｙ軸一方向摺動部材３２１ａ、３２１ｂと左右一対の下部Ｙ軸一方向摺動部材２１１ａ、２１１ｂとのどちらか一方の左右一対の摺動部材の左右のうちの他方の摺動部材にＹ軸摺動面Ｓｙに沿って形成される係合部Ｚ１が他方の左右一対の摺動部材の左右のうちの他方の摺動部材にＹ軸摺動面Ｓｙに沿って形成される被係合部Ｚ２に係合して一方の左右一対の摺動部材の左右のうちの他方の摺動部材と他方の左右一対の摺動部材の左右のうちの他方の摺動部材とのＸ軸方向に沿った方向のうちの他方の方向の相対移動を拘束でき、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右のうちの一方の摺動部材にＹ軸摺動面Ｓｙに沿って形成される係合部Ｚ１が他方の左右一対の摺動部材の左右のうちの一方の摺動部材にＹ軸摺動面Ｓｙに沿って形成される被係合部Ｚ２に係合して一方の左右一対の摺動部材の左右のうちの一方の摺動部材と他方の左右一対の摺動部材の左右のうちの一方の摺動部材とのＸ軸方向に沿った方向のうちの一方の方向の相対移動を拘束でき、上下に重なりＹ軸方向に摺動できる左右一対の中間Ｙ軸一方向摺動部材３２２ａ、３２２ｂと左右一対の下部Ｙ軸逆方向摺動部材２１２ａ、２１２ｂとのどちらか一方の左右一対の摺動部材の左右のうちの他方の摺動部材にＹ軸摺動面Ｓｙに沿って形成される係合部Ｚ１が他方の左右一対の摺動部材の左右のうちの他方の摺動部材にＹ軸摺動面Ｓｙに沿って形成される被係合部Ｚ２に係合して一方の左右一対の摺動部材の左右のうちの他方の摺動部材と他方の左右一対の摺動部材の左右のうちの他方の摺動部材とのＸ軸方向に沿った方向のうちの他方の方向の相対移動を拘束できる様にしたので、
構造体が、Ｙ軸に沿った両方の向きの移動を抑制されつつＸ軸に沿って摺動する上部案内部材と中間案内部材を介して支持されて、Ｘ軸に沿った両方の向きの移動を抑制されつつＹ軸に沿って摺動する中間案内部材と下部案内部材とを介して支持されて、Ｘ軸とＹ軸とに沿って安定して移動できる。
また、左右一対の上部Ｘ軸一方向摺動部材１１１ａ、１１１ｂがＹ軸に沿って間に隙間を設けられ、左右一対の上部Ｘ軸逆方向摺動部材１１２ａ、１１２ｂがＹ軸に沿って間に隙間を設けられ、左右一対の中間Ｘ軸一方向摺動部材３１１ａ、３１１ｂがＹ軸に沿って間に隙間を設けられ、左右一対の中間Ｘ軸逆方向摺動部材３１２ａ、３１２ｂがＹ軸に沿って間に隙間を設けられ、左右一対の中間Ｙ軸一方向摺動部材３２１ａ、３２１ｂがＸ軸に沿って間に隙間を設けられ、左右一対の中間Ｙ軸一方向摺動部材３２２ａ、３２２ｂがＸ軸に沿って間に隙間を設けられ、左右一対の下部Ｙ軸一方向摺動部材２１１ａ、２１１ｂがＸ軸に沿って間に隙間を設けられ、左右一対の下部Ｙ軸逆方向摺動部材２１２ａ、２１２ｂがＸ軸に沿って間に隙間を設けられる様にしたので、構造体に作用する転倒モーメントを左右一対の摺動部材で支持できる。
また、係合部Ｚ１の摺動方向に交差する向きに互いに傾斜する左右一対の摺動面の交差する箇所に形成され摺動面に沿って摺動方向に延びる峰状の部分と被係合部Ｚ２の摺動方向に交差する向きに互いに傾斜する左右一対の摺動面の交差する箇所に形成され摺動面に沿って摺動方向に延びる谷状の部分とが当接して係合部Ｚ１が被係合部Ｚ２に係合する様にしたので、軸方向に直交方向の相対移動を拘束でき、軸方向に案内できる。
また、係合部Ｚ１の摺動方向に交差する一方の方向に面を向け摺動面に沿って摺動方向に延びる壁状の部分と被係合部Ｚ２の摺動方向に交差する他方の方向に面を向け摺動面に沿って摺動方向に延びる壁状の部分とが当接して係合部Ｚ１が被係合部Ｚ２に係合する様にしたので、軸方向に直交方向の相対移動を拘束でき、軸方向に案内できる。
また、係合部Ｚ１の摺動方向に交差する方向に沿って一対の面を外側へ向け摺動面に沿って摺動方向に延びる一対の壁状の部分と被係合部Ｚ２の摺動方向に交差する方向に沿って一対の面を内側に向け摺動面に沿って摺動方向に延びる一対の壁状の部分とが当接して係合部Ｚ１が被係合部Ｚ２に係合する様にしたので、軸方向に直交方向の相対移動を拘束でき、軸方向に案内できる。
また、係合部Ｚ１の摺動方向に交差する方向に沿って上下方向に湾曲する摺動面に沿って摺動方向に延びる凸状の部分と被係合部Ｚ２の摺動方向に交差する方向に沿って上下方向に湾曲する摺動面に沿って摺動方向に延びる凹状の部分とが当接して係合部Ｚ１が被係合部Ｚ２に係合する様にしたので、軸方向に直交方向の相対移動を拘束でき、軸方向に案内できる。
【００７９】
本発明は以上に述べた実施形態に限られるものではなく、発明の要旨を逸脱しない範囲で各種の変更が可能である。
発明の実施形態を一例の構造を例に説明したが、これに限定されない。例えば、上部案内部材１００が２組の上部Ｘ軸摺動部材１１０と上部案内基礎部材１３０とで構成されてもよい。例えば、下部案内部材２００が２組の下部Ｙ軸摺動部材２１０と下部案内基礎部材２３０で構成されてもよい。例えば、
構造体支持構造５０は、上部案内部材１００と中間案内部材３００とで構成され、中間案内部材３００が基礎に固定されてもよい。
【符号の説明】
【００８０】
Ｓ      摺動面
Ｓｘ    下向きのＸ軸摺動面、上向きのＸ軸摺動面
Ｓｘ１  左右一対のＸ軸一方向摺動面
Ｓｘ２  左右一対のＸ軸逆方向摺動面
Ｓｙ    下向きのＹ軸摺動面、上向きのＹ軸摺動面
Ｓｙ１  左右一対のＹ軸一方向摺動面
Ｓｙ２  左右一対のＹ軸逆方向摺動面
Ｚ１    係合部
Ｚ２    被係合部  
θｘ１  傾斜角（Ｘ軸一方向摺動面のＸ軸方向）
θｘ２  傾斜角（Ｘ軸逆方向摺動面のＸ軸方向）
θｙ１  傾斜角（Ｙ軸一方向摺動面のＹ軸方向）
θｙ２  傾斜角（Ｙ軸逆方向摺動面のＹ軸方向）
３０  構造体
４０  基礎
５０  構造体支持構造
１００  上部案内部材
１１０  上部Ｘ軸摺動部材
１１１ａ、１１１ｂ  左右一対の上部Ｘ軸一方向摺動部材
１１２ａ、１１２ｂ  左右一対の上部Ｘ軸逆方向摺動部材
１３０  上部案内基礎部材
２００  下部案内部材
２１０  下部Ｙ軸摺動部材
２１１ａ、２１１ｂ  左右一対の下部Ｙ軸一方向摺動部材
２１２ａ、２１２ｂ  左右一対の下部Ｙ軸逆方向摺動部材
２３０  下部案内基礎部材
３００  中間案内部材
３１０  中間Ｘ軸摺動部材
３１１ａ、３１１ｂ  左右一対の中間Ｘ軸一方向摺動部材
３１２ａ、３１２ｂ  左右一対の中間Ｘ軸逆方向摺動部材
３２０  中間Ｙ軸摺動部材
３２１ａ、３２１ｂ  左右一対の中間Ｙ軸一方向摺動部材
３２２ａ、３２２ｂ  左右一対の中間Ｙ軸逆方向摺動部材
３３０  中間案内基礎部材
【先行技術文献】
【特許文献】
【００８１】
【特許文献１】特開２０１３−１３０２１６
【特許文献２】特開２０１４−１１９０３３
【特許文献３】特開２０１６−０１４４１１
【図１】
2018197596.tif 000003
【図２】
2018197596.tif 000004
【図３】
2018197596.tif 000005
【図４】
2018197596.tif 000006
【図５】
2018197596.tif 000007
【図６】
2018197596.tif 000008
【図７】
2018197596.tif 000009
【図８】
2018197596.tif 000010
【図９】
2018197596.tif 000011
【図１０】
2018197596.tif 000012
【図１１】
2018197596.tif 000013
【図１２】
2018197596.tif 000014
【図１３】
2018197596.tif 000015
【図１４】
2018197596.tif 000016
【図１５】
2018197596.tif 000017
【図１６】
2018197596.tif 000018
【図１７】
2018197596.tif 000019
【図１８】
2018197596.tif 000020
【図１９】
2018197596.tif 000021
【図２０】
2018197596.tif 000022
【図２１】
2018197596.tif 000023
【図２２】
2018197596.tif 000024
【図２３】
2018197596.tif 000025
【図２４】
2018197596.tif 000026
【図２５】
2018197596.tif 000027
【図２６】
2018197596.tif 000028
【図２７】
2018197596.tif 000029
【図２８】
2018197596.tif 000030
【図２９】
2018197596.tif 000031
【図３０】
2018197596.tif 000032
【図３１】
2018197596.tif 000033
【図３２】
2018197596.tif 000034
【図３３】
2018197596.tif 000035
【図３４】
2018197596.tif 000036
【図３５】
2018197596.tif 000037